(57)【要約】【課題】  計数用メダル及び補充用メダルを再度払い出し可能に貯蔵容量を最大限に貯蔵できるようにするとともに、スペース最小であり使い勝手の良いメダル払出機、メダル払出機の払出方法を提供することを目的とする。【解決手段】  計数機構７０、近接センサＳによって計数されたメダルを受け入れて貯蔵するメダル貯蔵部６２と、計数機構で計数したメダルをメダル貯蔵部６２へ導くメダル導入機構（６０、７０と７１、７４と７６と７７）と、メダル貯蔵部６２に貯蔵されるメダルを前記筺体３前面側に払い出すメダル払出部（払出用ノーズ６３、１３、７８）と、を備えるメダル払出機を提供する。【選択図】図１０
2009240554.tif 000002
【特許請求の範囲】
【請求項１】
遊技台に隣接して設けられた筺体と、前記筺体前面側に設けられた投入されたメダルを受け入れるメダル受入部と、前記メダル受入部により受け入れたメダルを計数する計数部と、前記計数部によって計数されたメダルを受け入れて貯蔵するメダル貯蔵部と、前記計数部で計数したメダルを前記メダル貯蔵部へ導くメダル導入機構と、前記メダル貯蔵部に貯蔵されるメダルを前記筺体前面側に払い出すメダル払出部と、を備えることを特徴とするメダル払出機。
【請求項２】
前記メダル受入部を前記メダル貯蔵部より上方に備え、前記メダル導入機構は、前記計数部で計数されたメダルを排出する排出口が前記メダル貯蔵部の上方に臨み、前記計数部で計数したメダルを前記メダル貯蔵部に落下させて導く機構であることを特徴とする請求項１記載のメダル払出機。
【請求項３】
前記メダル受入部及び整列手段を前記筺体下方側に備え、前記メダル導入機構は、前記整列手段で整列させたメダルを揚送させる揚送機構を備え、前記揚送機構によって揚送されたメダルを排出する排出口が前記メダル貯蔵部の上方に臨み、前記揚送機構で揚送したメダルを前記メダル貯蔵部に落下させて導く機構であることを特徴とする請求項１記載のメダル払出機。
【請求項４】
前記計数部が、前記整列手段と前記揚送機構の間、または前記揚送機構と前記排出口の間、に備えることを特徴とする請求項３記載のメダル払出機。
【請求項５】
前記メダル受入部を前記筺体前面下方側に備え、前記メダル受入部で受け入れたメダルを揚送させる揚送機構を備え、前記メダル導入機構は、前記揚送機構によって揚送されたメダルを前記計数部で計数し、前記計数部で計数されたメダル排出する排出口が前記メダル貯蔵部の上方に臨み、前記揚送機構で揚送したメダルを前記メダル貯蔵部に落下させて導く機構であることを特徴とする請求項１記載のメダル払出機。
【請求項６】
獲得メダルを計数する計数モードと、払い出し用のメダルを補充する補充モードとを切り換える切換手段と、
前記切換手段によって計数モードに設定される場合には前記計数部によって計数された計数結果を遊技者に渡される記録媒体の記録情報に対応付けて記録する計数結果記録手段と、
前記切換手段によって補充モードに設定される場合には前記補充のため受け入れた補充用メダルを計数しないかまたは計数してもその計数結果を景品交換可能な獲得遊技媒体数として処理しないようにする補充メダル非処理受入手段と、を備えることを特徴とする請求項１乃至５いずれか記載のメダル払出機。
【請求項７】
請求項１記載のメダル払出機の払出方法であって、
前記メダル受入部で受け入れたメダルを前記計数部で計数する計数工程と、前記計数部で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴とするメダル払出機のメダル払出方法。
【請求項８】
請求項６記載のメダル払出機の払出方法であって、
前記メダル受入部で受け入れたメダルを前記計数部で計数する計数工程と、前記計数部で計数したメダルを前記メダル導入機構によって前記メダル貯蔵部に導く導入行程と、前記メダル貯蔵部に貯蔵されたメダルを前記メダル払出部によって払い出す払出工程と、
前記計数結果記録手段によって前記計数部によって計数された計数結果を遊技者に発行する記録媒体の記録情報に対応付けて記録する計数結果記録工程と、
前記補充メダル非処理受入手段によって補充用メダルを計数しないかまたは計数してもその計数結果を景品交換可能な獲得遊技媒体数として処理しないようにする補充メダル非処理受入工程と、を備えることを特徴とするメダル払出機のメダル払出方法。
【発明の詳細な説明】
【技術分野】
【０００１】
本発明は、スロットマシンで遊技に使用するメダルを払い出すメダル払出機、及びメダル払出機のメダル払出方法に関する。
【背景技術】
【０００２】
従来、例えば特許文献１のメダル排出機においては、メダルタンク１１のメダルがなくなると、店員が補充用メダルをメダル投入口１４から直接メダルタンク１１へ投入して補充する。
【０００３】
また例えば特許文献２の回胴式遊技機用メダル装置においては、筺体裏面側より供給管Ｂを介して外部供給口２１より補充用メダルを落下させて受入タンク３１に受け入れて貯蔵後、貸出指示操作に基づいて、受入タンク３１に貯蔵されたメダルを搬送ベルト３２によってメダルホッパー４４に導くと共に、切換手段４８を作動させてカウント部４６から貸出部側排出口４７ｂへ連通させ、メダルホッパー４４に内在するメダルをカウント部４６、貸出部側排出口４７ｂを介して貸出口５２へ払い出す。
【０００４】
一方、メダル投入口４１から投入した計数用メダルは、メダル投入口４１の開状態の検知に基づいてメダルホッパー４４に導くと共に、切換手段４８を作動させてカウント部４６から樋側排出口４７ａを介してベルトコンベア８１上に導き、ベルトコンベア８１を駆動させて回収樋Ｃへ導く。
【特許文献１】特開２００５−２８４４２７
【特許文献２】特開平１１−２２６２３４
【発明の開示】
【発明が解決しようとする課題】
【０００５】
特許文献１のメダル排出機においては、メダルタンク１１のメダルがなくなると、店員が補充用メダルをメダル投入口１４から直接メダルタンク１１へ投入するので、計数用メダルは計数部がないので処理できなかった。
【０００６】
そこで、計数用メダルを計数するため、供給管Ｂのようなメダル自動補給システムのあるパチンコホールにおいてのみ利用可能な、特許文献２のようなメダル払出機が提案された。
【０００７】
しかしながら、メダル自動補給システムのないホールの場合、特許文献２においては、メダル投入口４１等のメダル払出機前面側から店員が貸し出し用のメダルを補充することになる。上記の如くの従来例では、メダルホッパー４４に補給されたメダルを貸出口５２から貸し出すために貯め込んでおくと、遊技客が獲得したメダルを補給メダルと混ぜてしまうことになるので投入することができない。
【０００８】
また、メダル払出機においては、スロットマシンの台間に設置されスロットマシンの設置台数をより多くするためにスペース最小とすることが好ましい。このため上記特許文献２においては、メダル投入口４１とは別のメダル払出機前面側に設けられた第２のメダル投入口を設け、当該第２のメダル投入口から受入タンク３１に供給するように構成しようとすると、メダル投入口４１、及び第２のメダル投入口のメダル払出機前面側における開口面積が狭く投入し難くなるとか、メダル受入部３１の容量がメダルホッパー４４を備える等で小さくなる。即ち獲得した計数用メダルを計数するための計数経路機構と補充用メダルを受け入れるための補充経路機構を設けなければならない分メダルを貯めておく容量が小さくなり、メダルの補充頻度が高くなる等使い勝手上好ましくない。
【０００９】
本発明は、このような事情に鑑みてなされたもので、計数用メダル及び補充用メダルを再度払い出し可能に貯蔵容量を最大限に貯蔵できるようにするとともに、スペース最小であり使い勝手の良いメダル払出機、メダル払出機の払出方法を提供することを目的とする。
【課題を解決するための手段】
【００１０】
本発明のメダル払出機は、遊技台に隣接して設けられた筺体と、前記筺体前面側に設けられた投入されたメダルを受け入れるメダル受入部と、前記メダル受入部により受け入れたメダルを計数する計数部と、前記計数部によって計数されたメダルを受け入れて貯蔵するメダル貯蔵部と、前記計数部で計数したメダルを前記メダル貯蔵部へ導くメダル導入機構と、前記メダル貯蔵部に貯蔵されるメダルを前記筺体前面側に払い出すメダル払出部と、を備えることを特徴とする。また本発明のメダル払出機は、遊技台に隣接して設けられた筺体と、前記筺体前面側に設けられた投入されたメダルを受け入れるメダル受入部と、前記メダル受入部により受け入れたメダルを整列させる整列手段と、前記整列手段で整列させたメダルを計数する計数部と、前記計数部によって計数されたメダルを受け入れて貯蔵するメダル貯蔵部と、前記計数部で計数したメダルを前記メダル貯蔵部へ導くメダル導入機構と、前記メダル貯蔵部に貯蔵されるメダルを前記筺体前面側に払い出すメダル払出部と、を備えることを特徴としてもよい。
【００１１】
この発明によれば、計数部によって計数されたメダルを受け入れて貯蔵するメダル貯蔵部と、計数部で計数したメダルをメダル貯蔵部へ導くメダル導入機構と、メダル貯蔵部に貯蔵されるメダルを前記筺体前面側に払い出すメダル払出部と、を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手の良いメダル払出機を提供できる。
【００１２】
なお、メダル受入部は、例えば上方が開口したホッパー形式などが例示でき、筺体前面側に筺体内部から引き出す形態としてよく、外部から適宜に取り付ける構造としてもよい。メダル受入部は、開口部の周囲を取り巻く上縁端を上方乃至斜め上方に延伸させるようにするとメダルが投入し易くなり外部に溢してしまうことも少なくなる。またメダル受入部は、下方側を開口させ、メダル収容箱の上縁端と下方側の開口部とがスライド嵌入させ、開口部が上方になるよう回転させてメダル収容箱内のメダルを受け入れるようにするとメダルを外部に溢すことなく受入れることができる。またメダル受入部は、スロットマシン下皿付近に設けられ、当該下皿からの下り傾斜を起立転動させてメダル払出機前面下方に導入するようにしてもよい。
【００１３】
またなお、必要に応じて設けられる整列手段は、例えば、円筒径内に受け入れたメダルを下方に設けられたディスクが回転し、その遠心力で円筒径内外延に設けられた排出口から整列させて排出する機構、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出する機構（ディスク型整列機構）、断面Ｖ字の谷にメダルを落として谷底にメダル外縁端が当接するよう導き入れ、当該谷に沿って下り傾斜を起立転動させて整列させる機構、などが例示できる。またディスク型整列機構の場合、ディスクを挟持し、ディスクの上面側の一部、下面側の全部を覆うよう研磨部材（金属ブラシ等）を配設して、メダルと研磨部材のディスク回転に伴う接触によってメダルの汚れが除去されるようにしてもよい。
【００１４】
またなお、計数部は、例えば、磁力を励磁し金属体が通貨すると透磁率が増加し磁力検知可能となる近接センサ、光透過センサによって整列したメダルを計数する例が例示できる。
【００１５】
また本発明のメダル払出機は、さらに、前記メダル受入部を前記メダル貯蔵部より上方に備え、前記メダル導入機構は、前記計数部で計数されたメダルを排出する排出口が前記メダル貯蔵部の上方に臨み、前記計数部で計数したメダルを前記メダル貯蔵部に落下させて導く機構であることを特徴とする。
【００１６】
この発明によれば、上記作用効果に加えて、メダル受入部をメダル貯蔵部より上方に備え、メダル導入機構は、計数部で計数されたメダルを排出する排出口がメダル貯蔵部の上方に臨むので、計数部で計数したメダルをメダル貯蔵部に落下させて導くことができる。
【００１７】
また本発明のメダル払出機は、さらに、前記メダル受入部及び整列手段を前記筺体下方側に備え、前記メダル導入機構は、前記整列手段で整列させたメダルを揚送させる揚送機構を備え、前記揚送機構によって揚送されたメダルを排出する排出口が前記メダル貯蔵部の上方に臨み、前記揚送機構で揚送したメダルを前記メダル貯蔵部に落下させて導く機構であることを特徴とする。
【００１８】
この発明によれば、上記作用効果に加えて、メダル受入部及び整列手段を筺体下方側に備え、メダル導入機構は、整列手段で整列させたメダルを揚送させる揚送機構を備え、揚送機構によって揚送されたメダルを排出する排出口が前記メダル貯蔵部の上方に臨むので、揚送機構で揚送したメダルを前記メダル貯蔵部に落下させて導くことができる。
【００１９】
また本発明のメダル払出機は、さらに、前記計数部が、前記整列手段と前記揚送機構の間、または前記揚送機構と前記排出口の間、に備えることを特徴とする。
【００２０】
この発明によれば、上記作用効果に加えて、計数部が、整列手段と揚送機構の間、または揚送機構と排出口の間、に備えることで、実現できる。
【００２１】
また本発明のメダル払出機は、さらに、前記メダル受入部を前記筺体前面下方側に備え、前記メダル受入部で受け入れたメダルを揚送させる揚送機構を備え、前記メダル導入機構は、前記揚送機構によって揚送されたメダルを前記計数部で計数し、前記計数部で計数されたメダル排出する排出口が前記メダル貯蔵部の上方に臨み、前記揚送機構で揚送したメダルを前記メダル貯蔵部に落下させて導く機構であることを特徴とする。
【００２２】
この発明によれば、上記作用効果に加えて、メダル受入部を筺体前面下方側に備え、メダル受入部で受け入れたメダルを揚送させる揚送機構を備え、メダル導入機構は、揚送機構によって揚送されたメダルを整列手段で整列後に計数部で計数し、計数部で計数されたメダル排出する排出口が前記メダル貯蔵部の上方に臨むので、揚送機構で揚送したメダルをメダル貯蔵部に落下させて導くことができる。
【００２３】
なお、揚送機構は、例えば、無端ベルトを上下方向に回動可能に掛け渡し、メダルを１枚宛てに無端ベルト上の突起または駕籠で支持して揚送させるようにしてもよい。
【００２４】
また本発明のメダル払出機は、さらに、獲得メダルを計数する計数モードと、払い出し用のメダルを補充する補充モードとを切り換える切換手段と、前記切換手段によって計数モードに設定される場合には前記計数部によって計数された計数結果を遊技者に渡される記録媒体の記録情報に対応付けて記録する計数結果記録手段と、前記切換手段によって補充モードに設定される場合には前記補充のため受け入れた補充用メダルを計数しないかまたは計数してもその計数結果を景品交換可能な獲得遊技媒体数として処理しないようにする補充メダル非処理受入手段と、を備えることを特徴とする。
【００２５】
この発明によれば、上記作用効果に加えて、獲得メダルを計数する計数モードと、払い出し用のメダルを補充する補充モードとを切り換える切換手段と、切換手段によって計数モードに設定される場合には計数部によって計数された計数結果を遊技者に発行する記録媒体の記録情報に対応付けて記録する計数結果記録手段と、切換手段によって補充モードに設定される場合には補充のため受け入れた補充用メダルを計数しないかまたは計数してもその計数結果を景品交換可能な獲得遊技媒体数として処理しないようにする補充メダル非処理受入手段とを備えるので、補充と計数とを混乱なく切り換えて実施することができる。
【００２６】
なお、切換手段は、例えば店員の携帯するリモコンからの切換指示出力による切り換え、管理装置からの切換指示出力による切り換え、筺体に設けられた指示ボタンの状態出力による切り換え、メダル受入部の開閉いずれか等の状態出力による切り換え、等が例示できる。
【００２７】
なお、計数結果記録手段における「遊技者に渡される記録媒体」とは、例えば、バーコードや獲得玉数を印字したレシート、会員カード、非会員カード、ＩＣコイン等の非接触式ＩＣタグや磁気層を有する記録媒体等を例示できる。これら記録媒体にＳｕｉｃａ（登録商標）のような非接触式ＩＣタグを採用する場合には、ＲＦＩＤリーダ部にＩＣタグをタッチするのみで処理可能である。また計数結果記録手段における「記録媒体の記録情報に対応付けて記録する」とは、例えば、記録情報が計数結果である場合と、記録情報がＩＤ情報でありリーダ装置またはバーコードリーダで読み出したＩＤ情報に基づいて管理装置の記録エリアに計数結果を記録する場合の少なくとも１方の場合などを例示できる。
【００２８】
またなお、補充メダル非処理受入手段における「補充用メダルを計数しないかまたは計数してもその計数結果を景品交換可能な獲得遊技媒体数として処理しないようにする」とは、例えば、補充モードの場合、補充用メダルを計数部で計数しないでメダル貯蔵部に導くようにしてもよい。計数しないとは、計数部である近接センサからの金属体検知信号をカウントしないようにしてもよいし、カウントしてもカウントした計数値を記憶しないようにしてもよい。また「計数してもその計数結果を景品交換可能な獲得遊技媒体数として処理しない」とは、例えば、計数部である近接センサからの金属体検知信号をカウントして記憶するものの、獲得遊技媒体数として記録媒体に記録しない、及び獲得遊技媒体数としてＩＤ情報に基づいて獲得遊技媒体数を格納する記録エリアに記録しないようにしてもよい。
【００２９】
また本発明のメダル払出機の払出方法は、上記本発明のメダル払出機の払出方法であって、前記メダル受入部で受け入れたメダルを前記計数部で計数する計数工程と、前記計数部で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴とする。また本発明のメダル払出機の払出方法は、上記本発明のメダル払出機の払出方法であって、前記メダル受入部で受け入れたメダルを、前記整列手段で整列させる整列工程と、前記整列手段で整列させたメダルを前記計数部で計数する計数工程と、前記計数部で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴としてもよい。
【００３０】
また本発明のメダル払出機の払出方法であって、前記メダル受入部で受け入れたメダルを前記計数部で計数する計数工程と、前記計数部で計数したメダルを前記メダル導入機構によって前記メダル貯蔵部に導く導入行程と、前記メダル貯蔵部に貯蔵されたメダルを前記メダル払出部によって払い出す払出工程と、前記計数結果記録手段によって前記計数部によって計数された計数結果を遊技者に発行する記録媒体の記録情報に対応付けて記録する計数結果記録工程と、前記補充メダル非処理受入手段によって補充用メダルを計数しないかまたは計数してもその計数結果を景品交換可能な獲得遊技媒体数として処理しないようにする補充メダル非処理受入工程と、を備えることを特徴とする。また本発明のメダル払出機の払出方法であって、前記メダル受入部で受け入れたメダルを、前記整列手段で整列させる整列工程と、前記整列手段で整列させたメダルを前記計数部で計数する計数工程と、前記計数部で計数したメダルを前記メダル導入機構によって前記メダル貯蔵部に導く導入行程と、前記メダル貯蔵部に貯蔵されたメダルを前記メダル払出部によって払い出す払出工程と、前記計数結果記録手段によって前記計数部によって計数された計数結果を遊技者に発行する記録媒体の記録情報に対応付けて記録する計数結果記録工程と、前記補充メダル非処理受入手段によって補充用メダルを計数しないかまたは計数してもその計数結果を景品交換可能な獲得遊技媒体数として処理しないようにする補充メダル非処理受入工程と、を備えることを特徴としてもよい。
【発明の効果】
【００３１】
本発明によれば、計数部で計数したメダルをメダル貯蔵部へ導くメダル導入機構と、計数部によって計数されたメダルを受け入れて貯蔵するメダル貯蔵部と、メダル貯蔵部に貯蔵されるメダルを前記筺体前面側に払い出すメダル払出部と、を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手を良くするという効果を得ることができる。
【発明を実施するための最良の形態】
【００３２】
以下、本発明の最良の実施形態によるメダル払出機、及びメダル払出機の払出方法を、図面を参照して説明する。なお以下例示する実施の形態においては、本発明を実現可能な１の例を例示したに過ぎず、本発明は以下実施の形態に限定されない。
【００３３】
図１は本発明第１実施例におけるメダル払出機を遊技機に隣接させて配置した斜視図である。符号１は本発明のメダル払出機である。符号２はスロットマシンである。本発明のメダル払出機１は、紙幣投入口４、投入現金に対応した度数（有価価値）、貯メダルしたメダルを再び遊技に用いるための再プレー用度数（有価価値）、計数したメダル数、補充したメダル数、排出メダル数等を表示するための液晶表示部５、会員カードまたは非会員カードのカード受入発行口６、再プレー用度数を消費して再プレー用メダルを払い出す指示をする再プレーボタン７、受け入れたメダルを計数する計数ボタン８、投入現金に対応した度数を消費してメダルを貸し出す貸出ボタン９、カード返却ボタン９９、を匡体３の前面側上部に備え、店員の所持するカギによって施解錠可能であり匡体３内部にメダルを補充するため補充扉１０、再プレーボタン７または貸出ボタン９の押圧によりメダルを払い出すノズル１３、ノズル１３を鉛直方向にスライド移動可能に支持する鉛直スライド支持体１１、ノズル１３を水平回動可能に支持する水平回動支持体１２を匡体３を、匡体３の前面中央部に備え、受入口１７から転動するメダルを湾曲路１５、長さ調整通路１４を介して受け入れるための機構を匡体３の前面下部に備える。
【００３４】
また、湾曲路１５には灰皿４５を取り付け可能であり、灰皿４５には煙草の火を消すための格子部４７、蓋４６を備える。後程詳述の如く、灰皿４５の下部は煙草搬送路へ煙草の吸殻を導くことが可能に構成されている。
【００３５】
スロットマシン２は、メダル投入口２４、遊技の結果獲得したメダルを払い出すための払出口１８、スロットマシンの回動式リールを回動させるスタートレバー１９、メダル投入口２４から投入された保留メダル数（最大５０枚迄保留するため投入可能）のうち賭けることが可能な１枚から最大３枚のうち最大３枚のメダルをかけるためのＭＡＸＢＥＴボタン２０、左リール停止ボタン２１、中央リール停止ボタン２２、右リール停止ボタン２２、大当り絵柄を含む種々の絵柄をペイントした回動式リールを収納した回動式リール部２５、下皿４３を備える。
【００３６】
次に図２に基づいて説明する。図２は、スロットマシン２及びメダル払出機１の背面側からみた斜視図である。スロットマシン２の内部には、ホッパー３１と、ホッパー３１に蓄えたメダルを賞として払い出すためのモータ機構３２を備え、ホッパー３１にメダルがいっぱいになるとその上部側のメダルは、満杯メダル排出口２９、満杯メダル通路３０、回収ボックス３３、スロットマシン底部開口部４２、搬送駆動ローラ３５で駆動される無端ベルトで構成された満杯搬送路３４、揚送機４０へ搬送される。図３は、スロットマシン２及びメダル払出機１を底面側から見た図である。図３に示す如くスロットマシン２の底部開口部４２から落下した満杯メダルは満杯搬送路３４の無端ベルト上面に至り、搬送下流の端部において底部滑り台４１を介して揚送機４０に導かれる。底部滑り台４１の下流下端部には、シャッタ（図示しない）を備え、シャッタは、揚送ベルト３８と揚送機カバー３９の間の隙間が生じる時には閉鎖されてメダルは滑り台４１上に滑落しないで留まり、揚送ベルト３８と揚送機カバー３９の間の隙間が生じないように揚送ベルト３８に取り付けられた籠が存在する場合には、シャッタが開となりメダルは底部滑り台４１上を滑落して籠に導かれる。なお、満杯搬送路３４、揚送機４０は定期的に駆動されるか、またはメダルの侵入を光透過センサにて検知した際に駆動される。
【００３７】
揚送機４０は、揚送駆動ローラ３７のいずれか一方で駆動され、外面にメダルを持ち上げるための籠（図示しない）を備えた無端ベルト３８を揚送するもので、無端ベルト３８の周囲を揚送機カバー３９で覆うように形成され、揚送上部に揚送したメダルを排出するための排出口３６を備える。籠（図示しない）の底はメダル重量に抗して開口しないようばねにより閉塞されているが、揚送上部において無端ベルト３８が揚送ローラ３７に導かれてカーブすると籠（図示しない）の底に設けられた突起と、揚送機カバー３９に設けられた突起と、が当たると揚送メダルが入った籠の底面が開口し、籠の側面の排出口３５に向かっての下方傾斜に導かれて揚送したメダルが排出口３６に導かれる。なお揚送上部において無端ベルト３８が揚送ローラ３７に導かれてカーブすると、籠の底面の開口に向かっての下方傾斜側面の下端部は、揚送機カバー３９より外部側に突出するよう、籠の揚送方向と垂直な方向の上端水平側面の両側に籠上方に突出したアームが無端ベルト３８と回動自在の軸支されている。
【００３８】
またメダル払出機１の背面側において、外部にメダルタンク６２が満杯となった際の上部付近メダルを排出するための滑り台２６を備え、その滑り台２６に導かれた余剰メダルは、さらにメダル払出機の背面口より外部に滑落して外部滑り台２７を介してスロットマシン２の背面側よりホッパー３１に導かれる。
【００３９】
次にスロットマシン２の前面下部側を拡大した斜視図である図４に基づいて説明する。また図４における、断面Ｑ、断面ＳにおけるＡＡ’方向から見た図をそれぞれ図６に示す。図４に示す如く、スロットマシン２の下部側に設けられた下皿４３に隣接して受入口１７を配置する。カウンタ４４の遊技者側への突出がほとんどない場合でも、スロットマシン２の下皿４３の遊技者側側面に、受入口１７に嵌め込まれたフック５３を掛けて、受入口１７を下皿４３に隣接して固定することができる。フック５３は、溝５４に沿って水平スライド可能に溝５４に嵌め込むことができる。溝５４は受入口１７の水平長手方向に沿って上下に２段（場合によっては上下方向に溝５４をさらに増設してもよい）設けられており、スロットマシン２の下皿４３の上端部の高さによらず、受け入れたメダルをメダル払出機１の下方側に設けられた受入口へ、転動滑落可能な傾斜角度となるよう、フック５３の位置を調整できる。
【００４０】
受入口１７は、上に凸にＲをなした曲面５６を有して断面Ｖ字の谷を形成する。下皿４３からメダルをＶ字谷に投入すると、メダルＭは曲面５６に沿って滑落し、谷底５５に下端部が接すると起立する。メダルＭは、図６における断面Ｑの上流側から断面Ｓの下流側へ下方傾斜した谷底５５に沿って転動流下する際、メダルＭの上端部が取り出し可能に露出した状態となる。このようにメダルＭの上端部を取り出し可能に露出させることは、メダル払出機１に至るまでメダル転動通路の上部を開口させると、詰まりが発生したときに取り出し易くて好ましい。なお、受入口１７の遊技者側の壁面は１７１の如く遊技者側へ上端部が突出する形態をとるとメダルＭを１７１側面に沿ってならべられるので見栄えが良いので好ましい。また点線部５７の空間によって、カウンタ４４の遊技者側端部の遊技者側方向や上方向への突出寸法が多少あっても、受入口１７とカウンタ４４が当たらないようにできる。
【００４１】
受入口１７と湾曲部１５の間は転動メダルＭが転動流下可能に若干の段差を有し、受入部１７と湾曲部１５とは上下方向における取り付け位置自在に、湾曲部１５に設けられた上下方向の溝（図示しない）に受入部１７の下流端部に設けられた突起（図示しない）を、上方から受入部１７を嵌入させて接続する。また湾曲部１５の最上流側には、メダル払出機１の収容メダルが満杯になった際にこれ以上の受け入れを禁止するためのソレノイドバルブからなるシャッタ５２が設けられている。
【００４２】
湾曲部１５からメダル払出機１に至る間は、上方が開口した長さ調整通路１４を接続する。長さ調整通路１４は、適宜に現場の寸法に合わせてカットし、適当な寸法とする。長さ調整通路１４は、湾曲部１５側の端部に設けられた上下方向の溝（図示しない）に上方からメダルが転動流下可能に嵌入させ、メダル払出機１側の端部は、水平方向から嵌入して接続する。このように現場の寸法に合わせて長さ調整通路１４の長さを適宜に設定することで、受入口１７は、スロットマシン２の下皿４３の突出寸法に合わせて水平方向に隣接して配置することができる。
【００４３】
図５に示す如く、灰皿４５は、嵌合突起４９を介して湾曲部１５の湾曲内側側面に設けれた穴（図示しない）に嵌合して設置される。灰皿４５は上面の格子部４７、蓋４６、及び上部筺体５１が金属で形成され、下部には厚み内部に空洞のある可撓性耐熱部材４８（格子状のガラス繊維であるガラスクロスまたは不織布に可撓性かつ耐熱性のあるエポキシとかシリコン等の熱硬化性樹脂を含浸させたもの等が例示できる。熱硬化性樹脂には不燃性を高めるためのフィラーとしてカーボン等を混入させてもよい）の空洞部分に金属リング５０を挿入させたものである。金属リング５０のＲ部はオーバーラップしており、既設の吸殻搬送装置に設けられた灰皿の内径に合わせて金属リング５０を嵌めこむことで、可撓制耐熱部材４８のたわみによって、灰皿４５の取り付け位置と上記既設灰皿の取り付け位置のずれを吸収し、吸殻を上記既設灰皿へ落下可能に導く。なお可撓制耐熱部材４８に余剰部分がでる場合は、余剰部分が吸殻の落下を妨げるので、この金属リングの位置をやや上方とし、可撓制耐熱部材４８の下端部は、吸殻の落下を妨げないようカットしてもよいし、外部側に巻いておいてもよい。
【００４４】
なお、灰皿４５の周囲の空間は、掃除のし難い、手が入り難いデッドスペースになるので、煙草の灰で汚れてしまったり、ジュースでベトつくことも考えられるので不衛生である。そこで、灰皿４５の周りの空間である湾曲部１５、長さ調整通路１４、メダル払出機１の前面、スロットマシン２の下皿４３のメダル払出機１側側面で囲まれた空間部を上方から覆う蓋を設けることが好ましい。
【００４５】
次いで図７について説明する。図７は本発明のメダル払出機１を側面方向から見た内部断面説明図である。受入口１７から湾曲部１５、長さ調整通路１４を介して受け入れたメダルを揚送機構６０によって揚送する。揚送機構６０は、リフト機構駆動モータ６４によって駆動するローラによって無端ベルトを回転させて駆動する。無端ベルトにはメダルＭの受け入れ方向から内部方向（図７の中央側）に向かって下方傾斜した搬送突起８３を備え、揚送機構カバー６１で無端ベルトの周囲を覆うように形成される。揚送機構６０の揚送上端部には近接センサＳが設けられ、金属の近接を検知すると透磁率が上昇することを利用して金属の近接を検知する。近接センサＳによって検知されたメダルは、メダル払出機１の制御部によって計数され、制御部は、その計数結果を管理装置１００に通信インターフェース回路を介して送信する。
【００４６】
また揚送機構６０によって揚送されたメダルＭは、矢印Ｕの方向に開口された開口部を介して、搬送突起８３の下方傾斜面と、揚送機構カバー６１の側面と、及び無端ベルト側面に沿って、矢印Ｕの方向に転動流下してメダルタンク６２内に収容される。
【００４７】
メダルタンク６２内に収容されたメダルＭは、後程詳述する貸出ボタン９押圧等の指示に従って払出用モータ６５を駆動して払出用ノーズ６３を介して、ノズル１３から機外に放出される。また補充用メダルは、補充扉１０を開いて投げ入れて補充され、補充樋５８を滑落してメダルタンク６２の中央部に導かれるが、補充メダル数を特定するために、補充用メダルは受入部１７、６７、６８を介して計数部Ｓ、７０によって計数された後メダルタンク６２に収容されるようにしてもよい。補充扉１０からメダルを補充する際には、メダルタンク６２の底部に重量センサを設けて補充数、内蔵メダル総量を把握してもよい。把握した補充数、内蔵メダル総量は液晶表示部５に指示に従って表示する。
【００４８】
また補充用メダルは、島内メダル供給搬送路６６、揚送機４０を介してメダル払出機１の背面側より補充してもよい。なお島内メダル供給搬送路６６を用いる場合には、背面導入樋７３を介してメダルタンク６２に収容するが、メダルタンク６２が満杯の場合にはシャッタ８８によってメダルタンク６２への流下を阻止することができる。また島内メダル供給搬送路６６、揚送機４０は併用しても、別個に用いてもよいが、併用する場合排出口３６は図２よりさらにメダル払出機１の背面側において上方に大きく開口し、その上方の大きく開口した部分からメダル供給搬送路６６から補充用メダルを受け入れる。
【００４９】
次にメダルタンク６２が満杯になった場合について説明する。島内メダル供給搬送路６６を備える場合には、排出樋５９から島内メダル供給搬送路６６へ余剰メダルを排出する。島内メダル供給搬送路６６を備えず、メダル払出機１及びスロットマシン２の底面側に満杯搬送路３４、及びメダル払出機１の背面側に揚送機４０を備える場合には、排出樋５９と同様の滑り台２６から外部滑り台２７を経由してスロットマシン２に内蔵されるホッパー３１にメダルを提供するようにしてもよい。またシャッタ８９を開口し、メダルタンク６２における底部排出樋９０上を、メダルを滑落させて外部の下部排出口９１から外部へ排出するようにしてもよい。なおメダルタンク６２が満杯になったことの検出は、メダルホッパーの排出樋５９の上端付近に設けられた近接センサによりなされる。
【００５０】
次に第２、第３の実施の形態として、遊技者がスロットマシン２の下皿４３に貯えた賞メダルを手で受入口６７、６８に運んで入れるタイプのメダル払出機１を説明する。図８及び図９は、それぞれ、第２の実施の形態、第３の実施の形態としての、メダル払出機１の斜視図である。図８における受入口６７においては、遊技客がスロットマシン２の下皿４３に貯えた賞メダルを手で受入口６７に運んで入れる。
【００５１】
図９においては遊技客がスロットマシン２の下皿４３に貯えた賞メダルを手でメダル箱６９に入れて、メダル箱６９をメダル箱嵌合構造を備えた受入口６８に、メダル払出し機１前面方向に向かってスライドさせて挿入嵌合させ、次いでメダル箱嵌合部６８とメダル箱６９をメダル払出機１の前面に対し垂直な方向を回転軸として回転させて、メダル箱６９が逆さになると、メダル箱６９内のメダルが受入口６８の底面に沿って滑落し、図１０（図１０は本発明のメダル払出機１を側面方向から見た内部断面説明図である。）における計数部７０に導かれ、計数部７０で計数されたメダルはメダルタンク６２へ図示された矢印の方向へ落下して収容される。
【００５２】
計数部７０は、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出するよう構成された整列手段を備える。整列手段によって整列させたメダルを近接センサによって１枚毎に検知して計数する。また上記ディスクを挟持し、ディスクの上面側の一部、下面側の全部を覆うよう研磨部材（金属ブラシ等）を配設して、メダルと研磨部材のディスク回転に伴う接触によってメダルの汚れが除去される。
【００５３】
なお図１０における１３、５９、６２、６３、６５、６６、７３、８８、８９、９０、９１は図７と同様である。
【００５４】
次いで本発明を応用した実施の形態を図１１から図１３に基づいて説明する。図１１は第４の実施の形態であり、本発明第１実施例を応用したメダル払出機１を遊技機に隣接させて配置した斜視図である。図１２は揚送機構７４の拡大した斜視図である。図１３は、図１２における断面ＴのＷＷ’視である。図１１における揚送機構７４はメダル払出機１の前面側外面に着脱自在に取り付けられ、無端ベルト７５をモータ８７で駆動される駆動ローラ８６で回動駆動される。また無端ベルト７５は図示しないフリーローラで下方端が回動自在に軸支される。
【００５５】
揚送機構７４は、透明な樹脂で形成された断面長方形の直方体形状のスペース７４２、７４３を含んだカバー体７４１に、無端ベルト７５が覆われ、無端ベルト７５がカバー体７４１内の前記スペース７４２、７４３内を上下方向に回動可能に構成される。また無端ベルト７５には図７における揚送機構６０における搬送突起８３が設けられ、搬送突起８３とカバー体７４１内のスペース７４２側壁の間の隙間をメダル１枚の厚みより小さく、無端ベルト７５のベルト側面と前記スペース７４２側壁の間の隙間をメダル１枚の厚みよりやや大きく構成することで、メダルがその隙間から落ちてしまわないようにすることができる。そしてカバー体７４１が透明な樹脂で形成されるので、遊技客が獲得したメダルについての揚送機構７４による揚送過程及びその後の経路が視認でき、遊技客がホールに搬送中のメダルを取られてしまう懸念を持たれることもない。
【００５６】
無端ベルト７５の下端部における長さ調整通路１４から転動流下したメダルは、無端ベルト７５表面に設けられた搬送突起８３の上に位置して、無端ベルト７５の揚送に伴って揚送される。計数ボタンが１回押されると計数モードに移行する。計数モードに設定される場合、ソレノイド８５から突出部８４が、搬送突起８３とカバー体７４１内のスペース７４２側壁の間の隙間に揚送されたメダルを、メダル払出機１の筺体３前面に穿設された穿設口７７に導くよう斜めに７６の状態で突出するとともに穿設口７７のシャッタが開口し、揚送されたメダルは突出部７６に導かれて穿設口７７を経由してメダルタンク６２内に収容される。なお計数モードに設定される場合、計数部は突出部７６の下方側のカバー体７４１の側面に近接センサＳが取り付けられており、１枚宛てに計数可能である。計数モードは、計数したメダルが所定時間（例えば１５秒）計数が中断すると計数モードを脱し、通常の払出モードに移行する。またなお計数モード以外のモードにおいてはソレノイド８５が作動して突出部が８５の状態となり、穿設口７７に設けられたシャッタは閉塞状態をとる。
【００５７】
通常の払出モードの状態で、即投入ボタン９９９が１回押されると即投入モードに移行する。即投入モードの場合、ソレノイド８５の突出部が８４の状態となり筺体３に引っ込み、無端ベルト７５がスペース７４２から上方の広い空間部に抜けるとメダル載置面が下向きとなるよう駆動ローラ８６を配置されているので、無端ベルト７５によって揚送されたメダルは、傾斜面８０に落下し、開口７９からネット８１に滑落して蓄積される。なお即投入モードは所定時間（例えば１５秒）近接Ｓがメダルを検知しない場合に即投入モードを脱し、通常の払出モードに移行する。
【００５８】
通常の払出モードは、紙幣投入口４に紙幣が投入されるか、またはカード受入発行口６に会員カードまたは非会員カードを受け入れると設定される。そしてカード返却ボタン９９が押されて、投入紙幣分の有価価値（度数）または計数した獲得メダル数、が付与された会員カードまたは非会員カードが排出されると通常の払出モードを脱し、待機状態となる。
【００５９】
通常の払出モードにおいては、貸出ボタン９が押されれば、所定数の度数が消費されて消費された度数分のメダルがメダルタンク６２から払出用モータ６５を駆動して払出用ノーズ６３を介して、払出口７８から払い出される。また通常の払出モードにおいては、再プレーボタン７が押されれば、所定数の貯メダルまたは持ちメダルが消費されて消費されたメダルがメダルタンク６２から払出用モータ６５を駆動して払出用ノーズ６３を介して、払出口７８から払い出される。そして払い出されたメダルは、傾斜面８０に落下し、開口７９からネット８１に滑落して蓄積される。なお持ちメダルとは、再プレー手数料がかからないことを前提とした当日分の計数メダル数であり、貯メダルとは再プレー手数料がかかることを前提とした前日以前の計数メダル数である。持ちメダル及び貯メダルは、夫々別個の再プレー手数料を設定できるが、おそらくホールは持ちメダルについて、運用上の選択事項として再プレー手数料をかけない。
【００６０】
なお、ネット８１は針金状の滑落するメダルを下側を落ちないようにサポートする斜め下方に導くガイドであり、メダル投入口２４に隣接して配置され、メダル投入口２４の積層メダル載置面とネット８１の傾斜角が略一致するよう設定される。このようにネット８１を構成することで、遊技客がネット８１に積層されて蓄積したメダル複数を任意に掴んでメダル投入口２４に入れやすくする。
【００６１】
なお、図７及び図１３に示す如く、近接センサＳの近傍には、揚送メダルの片面全体を回転させて研磨する回転研磨部７５１及び回転研磨部７５１を回転駆動するための回転研磨モータ７５２を揚送機構カバー６１やカバー体７４１に備え、近接センサＳが揚送メダルを検知すると回転研磨モータ７５２を駆動して回転研磨部７５１を回転させる。回転研磨部７５１は交換可能とするため、回転研磨モータ７５２に対して着脱可能である。回転研磨部７５１の回転方向は、揚送されるメダルを下方に押し付ける方向に回転させ、揚送されメダルは、搬送突起８３の下支えがあるので、回転研磨部７５１により下方に圧迫される力を受けてもメダル自体は変わらず揚送可能である。回転研磨部７５１は、金属ブラシ等が好ましく、金属ブラシ先端が揚送されるメダル表面に当接する位置に無端ベルト方向に揚送機構カバー６１やカバー体７４１から望む。また回転研磨によりメダルから落ちた汚れは、スペース７４２を落下して下方端に配置された皿に落ちる。皿は外部より取り出して汚れを皿から取り除くことができる。
【００６２】
次に図１４に基づき本発明のメダル払出機１を採用した管理システムを説明する。当該管理システムは、接続機器間で相互に通信可能なネットワーク１０１に、管理装置１００、島コントローラ１０２が接続されている。また、メダル払出機１に隣接した複数の島内メダル供給搬送路６６にメダル搬送通路１０５を介してメダルを提供し、これらメダル供給のためのメダル供給装置１０４が必要に応じて接続される。なおメダル搬送通路１０５は島間に渡って設けることもできる。またメダル供給装置１０４にはメダルを洗浄する機能も有する。
【００６３】
管理システムにおいては、主に、各メダル払出機１に内蔵するメダル数量、メダル払出機１とスロットマシン２の各セットに内蔵するメダル合計数量を管理し、特定のメダル払出機１に内蔵するメダル数量、メダル払出機１とスロットマシン２の特定のセットに内蔵するメダル合計数量が少ない場合または多い場合、そのメダル払出機１、またはスロットマシン２へメダルを補充または取り去りすることを目的に、内蔵メダル数量の少ないまたは多いメダル払出機１、メダル払出機１とスロットマシン２の特定のセットのナンバー等の特定情報とともに報知する。またパチンコホールにとって人件費削減等の営業上の必要に応じて設けられる島内メダル供給搬送路６６、メダル搬送通路１０５、メダル供給装置１０４を備える場合には、内蔵メダル数量の少ないメダル払出機１、メダル払出機１とスロットマシン２の特定のセットに、メダル供給装置１０４からメダル搬送通路１０５と島内メダル供給搬送路６６を介して、メダル払出機１、またはスロットマシン２へメダルを補充し、内蔵メダル数量の多いメダル払出機１、メダル払出機１とスロットマシン２の特定のセットから、メダル供給装置１０４へ、メダル搬送通路１０５と島内メダル供給搬送路６６を介して、メダル払出機１、またはスロットマシン２からメダルを取り去る。
【００６４】
メダル供給装置１０４は、装置内にメダル搬送通路１０５からメダルを受け入れると、無端ベルトに籠を設けたリフトによって揚送し、揚送後に上下２段からなる略水平方向に搬送する下側無端ベルトにメダルを配置させ、その状態でメダルを下側無端ベルトの搬送方向に搬送させると、メダルは下側無端ベルトと異なる方向に回転駆動する上側無端ベルトに挟持される。上側無端ベルトと下側無端ベルトとに挟持されてメダルが下側無端ベルトの搬送に伴い下側無端ベルトから滑落すると、貯蔵タンクに一旦ストックする。貯蔵タンクに貯蔵されたメダルは、既述のディスク型整列機構により搬送通路１０５に排出される。
【００６５】
搬送通路１０５は、島内及び各島間に渡ってメダルを搬送する無端ベルトの組み合わせからなる通路であって、各スロットマシン２に隣接して設置されるメダル払出機１の背面側に設けられた各島内メダル供給搬送路６６（トンネル形状）にメダルを搬送する。
【００６６】
島内メダル供給搬送路６６は、搬送通路１０５を覆うトンネル形状であり、メダル払出機１やスロットマシン２にメダルを供給する場合には、シャッタ８８を開として、搬送通路１０５の無端ベルト上面において、背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させる。またメダル払出機１またはスロットマシン２の余剰メダルは、搬送通路１０５へ、排出樋５９を介し滑落させる。
【００６７】
まず、島内メダル供給搬送路６６、メダル搬送通路１０５、メダル供給装置１０４、を備える場合について説明する。管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、第２の所定数量を下回ったメダル払出機１、及びメダル払出機１とスロットマシン２の各セットをピックアップすると、そのメダル払出機１を特定する情報（台番号等）を、メダル供給装置１０４に送信する。するとメダル供給装置１０４は、メダルをメダル搬送通路１０５に排出するとともに、メダル払出機１を特定する情報に対応したメダル払出機１の背面に設けられた島内メダル供給搬送路６６に対し、シャッタ８８を開として、搬送通路１０５の無端ベルト上面に背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させ、搬送通路１０５からメダルをメダル払出機１に取り込む。
【００６８】
また、管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、必要量のメダルに収容し終えたメダル払出機１、及びメダル払出機１とスロットマシン２の各セットをピックアップすると、島内メダル供給搬送路６６に対し、シャッタ８８を閉として、搬送通路１０５の無端ベルト上面に背面導入樋７３へメダルを導くためのガイドを、搬送通路１０５上から上方に移動させて、メダルとガイドが当接しないようにする。
【００６９】
なお、このように島内メダル供給搬送路６６、メダル搬送通路１０５、メダル供給装置１０４、を備える場合には、管理装置１００は電源ＯＮの際、島コントローラの中継で各メダル払出機１に通信ＩＦを介して「自動補充モード」である旨を通知する。するとメダル払出機１は、「自動補充モード」であれば、補充のために払出や計数を禁止する必要がないので、後程詳述する補充モードへの移行を行わない。この場合、常にメダル払出機１は既述の待機モード、払出モード、または計数モード、に移行する。なお島内メダル供給搬送路６６、メダル搬送通路１０５、メダル供給装置１０４、を備える場合、メダル払出機１、またはメダル払出機１とスロットマシン２の各セットにおける内蔵メダル数量が多すぎる場合には、排出樋５９から島内メダル供給搬送路６６へ余剰メダルが排出されるので、余剰メダルを排出する排出モードに移行する必要はない（ステップＳ１０６）。
【００７０】
島内メダル供給搬送路６６、メダル搬送通路１０５、メダル供給装置１０４、を備えない場合について説明する。管理装置１００は、通信ＩＦを介して島コントローラ１０２に中継されて受信した各メダル払出機１、またはメダル払出機１とスロットマシン２の各セットにおける内蔵メダル数量データを監視し、第２の所定数量を下回ったメダル払出機１、及びメダル払出機１とスロットマシン２の各セットをピックアップすると、店内インカムに音声で台番号とその台番号のメダル払出機１にメダルを補充するよう通知し、そのメダル払出機１を特定する情報（台番号等）に対応するメダル払出機１に島コントローラ１０２を中継して通信し、補充モードになる旨の情報を送信する。するとメダル払出機１は、上記「自動補充モード」でなければ、強制的の補充モードとなり、遊技者による計数モード、及び払出モードへの移行は禁止される（ステップＳ１０５）。
【００７１】
やがて店員によってそのメダル払出機１へのメダルの補充がなされ、メダル払出機１の制御部１０３が、センサＩＦを介して、メダル払出機１のメダルタンク６２のメダル重量や、補充に際して計数部７０や近接センサＳを介して１枚宛てに補充した場合にはその補充メダルの数量が充足にたる所定量となったことを検知すると、管理装置１００に島コントローラ１０２を介して通信ＩＦよりその旨を送信する。すると管理装置１００の制御部は補充が終了した旨の通知を、インカムを介して音声にて行い、当該メダル払出機１に島コントローラ１０２の中継により通信ＩＦを介して補充モード終了の旨を通知する。メダル払出機１はその補充モード終了の旨を受けて、カード受入発行口６にカードがあれば通常の払出モードに移行して計数モードに移行可能とし、カードがなければ待機状態に移行する（ステップＳ１０５）。
【００７２】
また島内メダル供給搬送路６６、メダル搬送通路１０５、メダル供給装置１０４、を備えない場合、管理装置１００は、通信ＩＦを介して島コントローラ１０２に中継されて受信した各メダル払出機１、またはメダル払出機１とスロットマシン２の各セットにおける内蔵メダル数量データを監視し、第２の所定数量より大きい第１の所定量を上回ったメダル払出機１、及びメダル払出機１とスロットマシン２の各セットをピックアップすると、店内インカムに音声で台番号とその台番号のメダル払出機１に余剰メダルを取り去るよう通知し、そのメダル払出機１を特定する情報（台番号等）に対応するメダル払出機１に島コントローラ１０２を中継して通信し、排出モードになる許可を与える旨の情報を送信する。するとメダル払出機１の制御部１０３は、上記「自動補充モード」でなければ、かつ排出モードになる許可を受けていれば、店員によるリモコンにより排出モードが設定されると、遊技者による計数モード、及び払出モードへの移行は禁止され、メダル払出機１の前面側の払出口７８や、ノズル１３から内蔵メダル数量が第１の所定数と第２の所定数の中間程度の第３の所定数となるまで余剰メダルが排出され、第３の所定数になると排出モードが終了する旨の通知を管理装置１００から行うとともに、制御部１０３は、液晶表示部５に表示ＩＦを介して排出モード終了の表示を行い、店員がリモコンの了解ボタンを押すと、カード受入発行口６にカードがあれば通常の払出モードに移行して計数モードに移行可能とし、カードがなければ待機状態に移行する（Ｓ２００）。
【００７３】
なお、メダル払出機１の制御部１０３は、ノズル１３の位置センサからの信号をセンサＩＦから入力し、ノズル１３の位置がスロットマシン１の下皿４３に位置していた場合、当該位置を脱する迄、管理装置１の制御部に通信ＩＦを介して島コントローラ１２より指示して、その指示を通信ＩＦを介して受けた管理装置１の制御部が、インカムを通じて、○○番台のノズルをスロットマシンの下皿から外してください、と放送し続ける（ステップＳ１０５）。なお管理装置１００の制御部は、計数処理中、補充処理中にメダルタンク６２に内蔵するメダル数（島コントローラ１０２を経由して通信ＩＦを介し制御部が受信した値）が所定の多量の値（第４）を超えたか否かを判定し、超えたと判定した場合には、直にメダル計数処理または補充処理を停止する旨の情報を、メダル払出機１に通信ＩＦを介して、島コントローラ１０２の中継により通知し、メダル払出機１は当該通知に基づき計数処理、補充処理を停止する（Ｓ２００）。
【００７４】
次に図１４に示す各装置のハードウェア構成を説明する。管理装置１００は、制御部を内蔵し、制御部はＣＰＵ、プログラムを記憶する半導体ハードディスク、一時的な演算結果を記憶するＲＡＭで構成される。また管理装置１００は、島コントローラ１０２及びメダル供給装置１０４と通信するための通信ＩＦを備える。また管理装置１００は、ネットワーク上の１乃至複数の管理装置（例えばカード管理装置、景品管理装置、台毎メダル量管理装置、等）で構成して、管理装置で行うＪＯＢを分散して実行させてもよいし、勿論１の管理装置で構成してもよい。
【００７５】
島コントローラ１０２は、制御部を内蔵し、制御部はＣＰＵ、プログラムを記憶する半導体ハードディスク、一時的な演算結果を記憶するＲＡＭで構成される。また島コントローラ１０２は、管理装置１００、メダル払出機１及びメダル供給装置１０４と通信するための通信ＩＦを備える。
【００７６】
メダル供給装置１０３は、既述の機械機構に加え、制御部を内蔵し、制御部はＣＰＵ、プログラムを記憶する半導体ハードディスク、一時的な演算結果を記憶するＲＡＭで構成される。またメダル供給装置１０３は、管理装置１００、島内メダル供給搬送路６６と通信するための通信ＩＦを備える。
【００７７】
またメダル払出機１は、既述の機械機構に加え、制御部１０３を内蔵し、制御部１０３はＣＰＵ、プログラムを記憶する半導体ハードディスク、一時的な演算結果を記憶するＲＡＭで構成される。またメダル払出装置１には島コントローラ１０２と通信するための通信ＩＦ、カードリーダライタ及び制御部１０３とカードリーダライタが通信するためのカードリーダライタＩＦ、紙幣識別装置及び制御部１０３と紙幣識別装置が通信するための紙幣識別ＩＦ、各ボタンの押圧を制御部１０３が検知するためのボタンＩＦ、液晶表示部５及び制御部１０３が通信するための表示ＩＦ、計数部Ｓや７０などからの出力を受けるための電気的特性（例えばインピーダンス変換等）変換するセンサＩＦ、各種モータを制御するモータＩＦを備える。
【００７８】
次に図１５に基づいて、管理装置１００についてのフローチャートを説明する。まず図示しない朝一番における電源投入時において、管理装置１００の制御部は、パワーオンで起動するリセット割り込み処理において、設定された「自動補充モード」または「非自動補充モード」である旨の情報を、通信ＩＦを介して島コントローラ１０２に中継させて各メダル払出機１に送信する。
【００７９】
次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ１００からリターン迄を繰り返す。Ｓ１００では、各メダル払出機１が行った各モードにおける、払出モード時のメダルの払い出し数量である払出数、計数モード時のメダルを計数した累積値である計数値、補充モード時の不足メダルの補充を行った補充数、排出モード時の余剰メダルの排出を行った排出数、メダル払出機１に内蔵される第１の総量メダル数、メダル払出機１およびスロットマシン２に内蔵される第２総量メダル数、カードリーダライタのリーダライタ部に受け付けているカードＩＤ情報、ＯＵＴ（賞として払い出されるメダル数）、ＩＮ（遊技のために投入されたメダル数）、台番号を、各メダル払出機１の制御部１０３により通信ＩＦを介して、島コントローラ１０２に中継されて、管理装置１００の通信ＩＦを介して管理装置１００の制御部が受信する。
【００８０】
管理装置１００の制御部は受信した前記払出数、計数値、補充数、排出数、第１の総量メダル数、第２の総量メダル数、ＩＮ、ＯＵＴ、ＩＮとＯＵＴの差、時刻、カードＩＤ情報、台番号、島番号、遊技機機種をカードＩＤ情報、台番号、島番号、遊技機機種に対応して半導体ハードディスクの所定の領域に記憶し、指示に従い、所定期間の集計結果、履歴データを、ホール全体、台毎、登録した同じ遊技台グループ毎、島毎、カードＩＤ毎、会員毎に表示モニタに表示したり、印刷することができる（ステップＳ１００）。
【００８１】
次に各メダル払出機１が何のモードなのか、即ち、払出モード、計数モード、補充モード、排出モード、自動補充モード、非自動補充モード、第４の実施の形態の場合には、即投入モードの各モードである旨の情報を、各メダル払出機１の制御部１０３から通信ＩＦを介して、島コントローラ１０２に中継させて、管理装置１００の制御部が、通信ＩＦを介して受信する（ステップＳ１０１）。
【００８２】
次にステップＳ１００で受けた各パラメータにより出入りするメダル数は全て把握できるので、各メダル払出機１に内蔵される総量メダル数（ステップＳ１０２）、各メダル払出機１とスロットマシン２のセットに内蔵される総量メダル数を計算する（ステップＳ１０３）。尚、ステップＳ１００で受信した総量メダル数と異なる場合（重量センサでメダル数を検知する場合は大きく異なる場合）、当該台番号のメダル払出機１が故障である旨あるいは故障確認を行う旨の指示を出す。
【００８３】
ステップＳ１０４においては島内メダル供給搬送路６６、メダル搬送通路１０５、メダル供給装置１０４、を備える「自動補充モード」である場合ステップＳ１０６に移行し、島内メダル供給搬送路６６、メダル搬送通路１０５、メダル供給装置１０４、を備えない「非自動補充モード」である場合ステップＳ１０５に移行する（ステップＳ１０４）。
【００８４】
ステップＳ１０５は、上記既述の通りである（ステップＳ１０５）。ステップＳ１０５終了後はリターンしスタートに戻る。
【００８５】
ステップＳ１０６は、上記既述の通りである（ステップＳ１０６）。ステップＳ１０５終了後はリターンしスタートに戻る。
【００８６】
次に図１６に基づいて、メダル払出機１の制御部１０３で実行されるフローチャートを説明する。まず図示しない朝一番における電源投入時において、パワーオン時に起動するリセット割込処理により、メダル払出機１の制御部１０３は、管理装置１００の制御部から、設定された「自動補充モード」または「非自動補充モード」である旨の情報を、通信ＩＦを介して島コントローラ１０２に中継させて受信し、一旦待機モードをとる。次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ２００からリターン迄を高速に繰り返す。
【００８７】
まず制御部１０３は、ステップＳ２００のモードの設定において、現金の投入が紙幣投入口４になされるか、またはカードの投入がカード受入発行口６になされたことを、夫々、カードリーダライタＩＦ、紙幣識別ＩＦを介して検知すれば払出モードに設定する。なお現金の投入がなされ、カードリーダライタ内におけるリーダライタ部に、読み取り可能なカードないことを、カードリーダライタＩＦを介して制御部１０３が検知した場合、複数の非会員カードが発行可能に貯留される貯留部から取り出してリーダライタ部へ搬送され投入現金分の有価価値を、発行した非会員カードＩＤに基づいてカード管理装置に記憶する。そして遊技の結果有価価値（度数）がなくなったことを、カードリーダライタＩＦを介して制御部１０３が検知すれば、待機モードに設定する。非会員カードに有価価値が残った状態、または会員カードがリーダライタ部に存在することをリーダライタＩＦを介して制御部１０３が検知する場合、カード返却ボタン９９が押されたことをボタンＩＦを介して制御部１０３が検知すれば、これら非会員カードと会員カードをカードリーダライタから外部に排出し、待機モードに移行する（ステップＳ２００）。
【００８８】
また制御部１０３は、ステップＳ２００のモード設定において、払出モード中に、計数ボタン８が押されたことをボタンＩＦを介して制御部１０３が検知すれば、計数モードに移行し、計数部Ｓ、７０からセンサＩＦを介して制御部１０３が所定時間（１５秒）検知しない場合には、計数モードから再び払出モードに移行する。なお、既述の「非自動補充モード（６６、１０４、１０５がない）」でありかつ補充モード中、または排出モード中は計数ボタン８がおされても計数モードへは移行しない。既述の「自動補充モード（６６、１０４、１０５がある）」であれば勝手に補充されて排出されるため払出モードから計数モードへの移行は行ってもよい（ステップＳ２００）。またいかなるときにもメダルタンク６２に第１の所定数（または他の所定数）を超える多量のメダルが存在するときには、計数モードへは移行しない。
【００８９】
また制御部１０３は、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、補充モードとする旨の指示を受けた場合、補充モードに移行する。また既述の「非自動補充モード（６６、１０４、１０５がない）」でありかつ管理装置１００がない場合、制御部１０３は、メダルタンク６２に内蔵されるメダル数が第２の所定数以下となったことをセンサＩＦを介して検知した場合、補充モードに移行する。
【００９０】
補充モードから通常の払出モードへの移行は、制御部１０３が、センサＩＦを介して入力したメダルタンク６２に内蔵されるメダル数が第１の所定数と後述する第２の所定数の中間の第３の所定数となったことをピックアップした際に、補充完了を表示ＩＦを介して液晶表示部５に表示し、その了解がリモコンより受信された場合に行われる。なお補充モードにおいては、計数モード、排出モードへの移行は行われない。また既述の「自動補充モード（６６、１０４、１０５がある）」であれば勝手に補充されて排出されるため補充モードへの移行は行われない（ステップＳ２００）。またいかなるときにもメダルタンク６２に第１の所定数（または他の所定数）を超える多量のメダルが存在するときには、補充モードへは移行しない。
【００９１】
また制御部１０３は、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、排出モードとする旨の指示を受けた場合、排出モードに移行する。
【００９２】
また既述の「非自動補充モード（６６、１０４、１０５がない）」でありかつ管理装置１００がない場合、制御部１０３は、メダルタンク６２に内蔵されるメダル数が第２の所定数より大きい第１の所定数以上となったことをセンサＩＦを介して検知した場合、排出モードに移行する。排出モードから通常の払出モードへの移行は、メダルタンク６２に内蔵されるメダル数が第１の所定数と後述する第２の所定数の中間の第３の所定数となって、排出完了を液晶表示部５に表示し、その了解がリモコンより受信された場合に行われる。なお排出モードにおいては、計数モード、補充モードへの移行は行われない。また既述の「自動補充モード（６６、１０４、１０５がある）」であれば勝手に補充されて排出されるため排出モードへの移行は行われない（ステップＳ２００）。
【００９３】
次に制御部１０３はステップＳ２０１において、ステップＳ２００において設定したモードが何かを判定する。待機モードであればリターンしてスタートに戻る。計数モードであればステップＳ２０1の計数処理を実行し、払出モードであればステップＳ２０３の払出処理を実行し、補充モードであればステップＳ２０４の補充処理を実行し、排出モードであればステップＳ２０５の排出処理を実行する（ステップＳ２０１）。
【００９４】
制御部１０３は、ステップＳ２０２において計数処理を行う。計数処理中には、貸出ボタン９、再プレーボタン７が押されても何もしない。計数処理では、計数部７０、近接Ｓのメダル１枚宛ての検知信号を積算して記憶する（ステップＳ２０２）。なお制御部１０３は、計数処理中にメダルタンク６２に内蔵するメダル数が所定の多量の値（第４）を超えたと判定した場合には、直にメダル計数処理を停止（計数部７０の停止、揚送機構６０、７４の停止、７７シャッタの閉塞、また揚送機構６０、７４のメダル受入口に設けたシャッタの閉塞）する。
【００９５】
制御部１０３は、ステップＳ２０３において払出処理を行う。払出処理中には、計数ボタンが押されても計数しないし、他のモードへの移行による処理は行わない。払出処理では、制御部１０３は、ボタンＩＦを介して再プレーボタン７が押されたことを検知した場合、既述の持ちメダル数を消費して、優先して払い出し、持ちメダル数がなくなると既述の貯メダル数を消費して払い出すよう、モータＩＦを介して払出用モータ６５を駆動して前記消費分のメダル数を払い出す。また制御部１０３は、ボタンＩＦを介して貸出ボタン９が押されたことを検知した場合、有価価値（度数）をカード管理装置からカードＩＤに基づいて読み出し、所定のメダル数（５０メダル１０００円分）の度数を引き落とすとともに、モータＩＦを介して払出用モータ６５を駆動して前記引き落とし分のメダル数を払い出す（ステップＳ２０３）。
【００９６】
制御部１０３は、ステップＳ２０４において補充処理を行う。補充処理中には、計数及び払出をしないし、他のモードへの移行による処理は行わない。補充処理では、制御部１０３は、計数部７０、近接センサＳでカウントしながら受入口１７からのメダルを補充用として受け入れるようにしてもよいし、補充扉１０を開いて補充してもよい。なお補充用メダルの受け入れのため、補充用メダルを計数しないか、または計数してもその計数結果を景品交換可能な獲得遊技媒体数として処理しないように計数値と補充数とを分けて記憶する。勿論、上記した如く「自動補充モード（６６、１０４、１０５がある）」であれば勝手に補充されるので、制御部１０３は何もしない（ステップＳ２０４）。なお制御部１０３は、補充処理中にメダルタンク６２に内蔵するメダル数が所定の多量の値（第４）を超えたと判定した場合には、直にメダルの補充処理を停止（計数部７０の停止、揚送機構６０、７４の停止、７７シャッタの閉塞、シャッタ８８の閉塞、また揚送機構６０、７４のメダル受入口に設けたシャッタの閉塞）する。
【００９７】
制御部１０３は、ステップＳ２０５において排出処理を行う。排出処理中には、計数及び払出をしないし、他のモードへの移行による処理は行わない。排出処理では、制御部１０３は、液晶表示部５に表示ＩＦを介して「余剰メダルの排出」の警告を表示し、かつ管理装置１００へ通信ＩＦを介して、島コントローラ１０２に中継させて、「排出モード」である旨の情報と台番号を送信する。
【００９８】
管理装置１００では、「排出モード」である旨の情報を受けるとインカムで音声にて、受信した台番号に対応して「○○番台余剰メダル排出します」と案内する。この案内を受けた店員が、払出ノズル１３をスロットマシン２の下皿４３に臨んだ位置から外れた位置として、メダル箱を構えてリモコンから「排出受け準備完了」の旨の情報を送信する。するとメダル払出機１の制御部１０３は、店員所持のリモコンから「排出受け準備完了」の旨の情報を受けると、モータＩＦを介して払出用モータ６５を駆動して、余剰メダルを外部に払い出す。勿論、上記した如く「自動補充モード（６６、１０４、１０５がある）」であれば勝手に排出されるので、制御部１０３は何もしない（ステップＳ２０５）。
【００９９】
なお、払出ノズル１３をスロットマシン２の下皿４３に臨んだ位置にあることを、制御部１０３がセンサＩＦを介して入力した位置情報により検知した場合、制御部１０３は、液晶表示部５に表示ＩＦを介して「余剰メダルの排出」の警告を表示し、かつ管理装置１００へ通信ＩＦを介して、島コントローラ１０２に中継させて、「排出モードですがノズルの位置がお客様のスロットマシン側となっているので、ノズルの位置を変更してください」である旨の情報と台番号を送信する。管理装置１００では、「排出モード」である旨の情報を受けるとインカムで音声にて、受信した台番号に対応して「○○番台排出モードですがノズルの位置がお客様のスロットマシン側となっているので、ノズルの位置を変更してください」と案内するとよい。
【０１００】
次に制御部１０３は、ステップＳ２０６に移行し、既述のステップＳ１００で管理装置１００が受信する情報を、通信ＩＦを介して、島コントローラ１０２に中継させて、送信する（ステップＳ２０６）。
【０１０１】
次に制御部１０３は、ステップＳ２０７に移行し、既述のステップＳ１０１で管理装置１００が受信する情報を、通信ＩＦを介して、島コントローラ１０２に中継させて、送信する（ステップＳ２０７）。
【０１０２】
以上説明してきたように、上記いくつかの本実施の形態によって、本発明のメダル払出機及びメダル払出機のメダル払出方法を実現することができる。そして、本実施の形態によれば、計数部７０、近接センサＳによって計数されたメダルを受け入れて貯蔵するメダル貯蔵部６２と、計数部で計数したメダルをメダル貯蔵部６２へ導くメダル導入機構（６０、７０と７１、７４と７６と７７）と、メダル貯蔵部６２に貯蔵されるメダルを前記筺体３前面側に払い出すメダル払出部（払出用ノーズ６３、１３、７８）と、を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手の良いメダル払出機を提供できるという効果を奏する。
【図面の簡単な説明】
【０１０３】
【図１】第１の形態のメダル払出機を遊技機に隣接させて配置した斜視図である。
【図２】スロットマシン２及び第１の形態のメダル払出機１の背面側からみた斜視図である。
【図３】スロットマシン２及び第１の形態のメダル払出機１を底面側から見た図である。
【図４】スロットマシン２及び第１の形態のメダル払出機１の前面下部側を拡大した斜視図である。
【図５】灰皿４５の斜視図である。
【図６】図４における、断面Ｑ、断面ＳにおけるＡＡ’方向から見た図である。
【図７】第１の形態のメダル払出機１を側面方向から見た内部断面説明図である。
【図８】第２の形態のメダル払出機１の前面側斜視図である。
【図９】第３の形態のメダル払出機１の前面側斜視図である。
【図１０】第２の形態のメダル払出機１を側面方向から見た内部断面説明図である。
【図１１】スロットマシン２及び第４の形態のメダル払出機１の背面側からみた斜視図である。
【図１２】第４の形態のメダル払出機１における揚送機構７４の拡大した斜視図である。
【図１３】図１２における断面ＴのＷＷ’視である。
【図１４】メダル払出機１を採用した管理システム図である。
【図１５】管理装置１００についてのフローチャートである。
【図１６】メダル払出機１についてのフローチャートである。
【符号の説明】
【０１０４】
１・・・メダル払出機、２・・・スロットマシン、３・・・筺体、４・・・紙幣投入口、５・・・液晶表示部、６・・・カード受入発行口、７・・・再プレーボタン、８・・・計数ボタン、９・・・貸出ボタン、１０・・・補充扉、１３・・・ノズル、１４・・・長さ著精通路、１５・・・湾曲路９９、１７・・・受入口、１８・・・払出口、２６・・・滑り台、２７・・・外部滑り台、３４・・・満杯搬送路、３５・・・搬送駆動ローラ、３６・・・排出口、３８・・・揚送ベルト、３９・・・揚送機カバー、４０・・・揚送機、４１・・・底部滑り台、４２・・・スロットマシン底部開口部、４９・・・嵌合突起、５２・・・シャッタ、５３・・・フック、５４・・・溝、５５・・・谷底、５６・・・曲面、５８・・・補充樋、５９・・・排出樋、６０・・・揚送機構、６１・・・揚送機構カバー、６２・・・メダルタンク、６６・・・島内メダル供給搬送路、６７・・・受入口、７０・・・計数部、７３・・・背面導入樋、８８、８９・・・シャッタ、底部排出樋９０、下部排出口９１、９９・・・カード返却ボタン、近接センサ・・・Ｓ、１００・・・管理装置、１０１・・・ネットワーク、１０２・・・島コントローラ、１０４・・・メダル供給装置、１０５・・・搬送通路、
【図１】
2009240554.tif 000003
【図２】
2009240554.tif 000004
【図３】
2009240554.tif 000005
【図４】
2009240554.tif 000006
【図５】
2009240554.tif 000007
【図６】
2009240554.tif 000008
【図７】
2009240554.tif 000009
【図８】
2009240554.tif 000010
【図９】
2009240554.tif 000011
【図１０】
2009240554.tif 000012
【図１１】
2009240554.tif 000013
【図１２】
2009240554.tif 000014
【図１３】
2009240554.tif 000015
【図１４】
2009240554.tif 000016
【図１５】
2009240554.tif 000017
【図１６】
2009240554.tif 000018
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
遊技台に隣接して設けられた筺体と、前記筺体前面側に設けられた投入されたメダルを受け入れるメダル受入部と、前記メダル受入部により受け入れたメダルを計数する計数機構と、前記計数機構によって計数されたメダルを受け入れて貯蔵するメダル貯蔵部と、前記メダル貯蔵部に貯蔵されるメダルを前記筺体前面側に払い出すメダル払出部と、を備えることを特徴とするメダル払出機。
【請求項２】
前記計数機構で計数したメダルを前記メダル貯蔵部へ導くメダル導入機構を備えることを特徴とする請求項１記載のメダル払出機。
【請求項３】
前記メダル受入部を前記メダル貯蔵部より上方に備え、前記メダル導入機構は、前記計数機構で計数されたメダルを排出する排出口が前記メダル貯蔵部の上方に臨み、前記計数機構で計数したメダルを前記メダル貯蔵部に落下させて導く機構であることを特徴とする請求項２記載のメダル払出機。
【請求項４】
前記メダル受入部及び整列手段を前記筺体下方側に備え、前記メダル導入機構は、前記整列手段で整列させたメダルを揚送させる揚送機構を備え、前記揚送機構によって揚送されたメダルを排出する排出口が前記メダル貯蔵部の上方に臨み、前記揚送機構で揚送したメダルを前記メダル貯蔵部に落下させて導く機構であることを特徴とする請求項２記載のメダル払出機。
【請求項５】
前記計数機構が、前記整列手段と前記揚送機構の間、または前記揚送機構と前記排出口の間、に備えることを特徴とする請求項４記載のメダル払出機。
【請求項６】
前記メダル受入部を前記筺体前面下方側に備え、前記メダル受入部で受け入れたメダルを揚送させる揚送機構を備え、前記メダル導入機構は、前記揚送機構によって揚送されたメダルを前記計数機構で計数し、前記計数機構で計数されたメダル排出する排出口が前記メダル貯蔵部の上方に臨み、前記揚送機構で揚送したメダルを前記メダル貯蔵部に落下させて導く機構であることを特徴とする請求項2記載のメダル払出機。
【請求項７】
獲得メダルを計数する計数モードと、払い出し用のメダルを補充する補充モードとを切り換える切換手段と、
前記切換手段によって計数モードに設定される場合には前記計数機構によって計数された計数結果を遊技者に渡される記録媒体の記録情報に対応付けて記録する計数結果記録手段と、
前記切換手段によって補充モードに設定される場合には前記補充のため受け入れた補充用メダルを計数しないかまたは計数してもその計数結果を景品交換可能な獲得遊技媒体数として処理しないようにする補充メダル非処理受入手段と、を備えることを特徴とする請求項１乃至6いずれか記載のメダル払出機。
【請求項８】
請求項２記載のメダル払出機の払出方法であって、
前記メダル受入部で受け入れたメダルを前記計数機構で計数する計数工程と、前記計数機構で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴とするメダル払出機のメダル払出方法。
【請求項９】
請求項７記載のメダル払出機の払出方法であって、
前記メダル受入部で受け入れたメダルを前記計数機構で計数する計数工程と、前記計数機構で計数したメダルを前記メダル導入機構によって前記メダル貯蔵部に導く導入行程と、前記メダル貯蔵部に貯蔵されたメダルを前記メダル払出部によって払い出す払出工程と、
前記計数結果記録手段によって前記計数機構によって計数された計数結果を遊技者に発行する記録媒体の記録情報に対応付けて記録する計数結果記録工程と、
前記補充メダル非処理受入手段によって補充用メダルを計数しないかまたは計数してもその計数結果を景品交換可能な獲得遊技媒体数として処理しないようにする補充メダル非処理受入工程と、を備えることを特徴とするメダル払出機のメダル払出方法。
【手続補正２】
【補正対象書類名】明細書
【補正対象項目名】全文
【補正方法】変更
【補正の内容】
【発明の詳細な説明】
【技術分野】
【０００１】
本発明は、スロットマシンで遊技に使用するメダルを払い出すメダル払出機、及びメダル払出機のメダル払出方法に関する。
【背景技術】
【０００２】
従来、例えば特許文献１のメダル排出機においては、メダルタンク１１のメダルがなくなると、店員が補充用メダルをメダル投入口１４から直接メダルタンク１１へ投入して補充する。
【０００３】
また例えば特許文献２の回胴式遊技機用メダル装置においては、筺体裏面側より供給管Ｂを介して外部供給口２１より補充用メダルを落下させて受入タンク３１に受け入れて貯蔵後、貸出指示操作に基づいて、受入タンク３１に貯蔵されたメダルを搬送ベルト３２によってメダルホッパー４４に導くと共に、切換手段４８を作動させてカウント部４６から貸出部側排出口４７ｂへ連通させ、メダルホッパー４４に内在するメダルをカウント部４６、貸出部側排出口４７ｂを介して貸出口５２へ払い出す。
【０００４】
一方、メダル投入口４１から投入した計数用メダルは、メダル投入口４１の開状態の検知に基づいてメダルホッパー４４に導くと共に、切換手段４８を作動させてカウント部４６から樋側排出口４７ａを介してベルトコンベア８１上に導き、ベルトコンベア８１を駆動させて回収樋Ｃへ導く。
【特許文献１】特開２００５−２８４４２７
【特許文献２】特開平１１−２２６２３４
【発明の開示】
【発明が解決しようとする課題】
【０００５】
特許文献１のメダル排出機においては、メダルタンク１１のメダルがなくなると、店員が補充用メダルをメダル投入口１４から直接メダルタンク１１へ投入するので、計数用メダルは計数機構がないので処理できなかった。
【０００６】
そこで、計数用メダルを計数するため、供給管Ｂのようなメダル自動補給システムのあるパチンコホールにおいてのみ利用可能な、特許文献２のようなメダル払出機が提案された。
【０００７】
しかしながら、メダル自動補給システムのないホールの場合、特許文献２においては、メダル投入口４１等のメダル払出機前面側から店員が貸し出し用のメダルを補充することになる。上記の如くの従来例では、メダルホッパー４４に補給されたメダルを貸出口５２から貸し出すために貯め込んでおくと、遊技客が獲得したメダルを補給メダルと混ぜてしまうことになるので投入することができない。
【０００８】
また、メダル払出機においては、スロットマシンの台間に設置されスロットマシンの設置台数をより多くするためにスペース最小とすることが好ましい。このため上記特許文献２においては、メダル投入口４１とは別のメダル払出機前面側に設けられた第２のメダル投入口を設け、当該第２のメダル投入口から受入タンク３１に供給するように構成しようとすると、メダル投入口４１、及び第２のメダル投入口のメダル払出機前面側における開口面積が狭く投入し難くなるとか、メダル受入部３１の容量がメダルホッパー４４を備える等で小さくなる。即ち獲得した計数用メダルを計数するための計数経路機構と補充用メダルを受け入れるための補充経路機構を設けなければならない分メダルを貯めておく容量が小さくなり、メダルの補充頻度が高くなる等使い勝手上好ましくない。
【０００９】
本発明は、このような事情に鑑みてなされたもので、計数用メダル及び補充用メダルを再度払い出し可能に貯蔵容量を最大限に貯蔵できるようにするとともに、スペース最小であり使い勝手の良いメダル払出機、メダル払出機の払出方法を提供することを目的とする。
【課題を解決するための手段】
【００１０】
本発明のメダル払出機は、遊技台に隣接して設けられた筺体と、前記筺体前面側に設けられた投入されたメダルを受け入れるメダル受入部と、前記メダル受入部により受け入れたメダルを計数する計数機構と、前記計数機構によって計数されたメダルを受け入れて貯蔵するメダル貯蔵部と、前記メダル貯蔵部に貯蔵されるメダルを前記筺体前面側に払い出すメダル払出部と、を備えることを特徴とする。また本発明のメダル払出機は、前記計数機構で計数したメダルを前記メダル貯蔵部へ導くメダル導入機構を備えるようにしてもよい。また本発明のメダル払出機は、遊技台に隣接して設けられた筺体と、前記筺体前面側に設けられた投入されたメダルを受け入れるメダル受入部と、前記メダル受入部により受け入れたメダルを整列させる整列手段と、前記整列手段で整列させたメダルを計数する計数機構と、前記計数機構によって計数されたメダルを受け入れて貯蔵するメダル貯蔵部と、前記計数機構で計数したメダルを前記メダル貯蔵部へ導くメダル導入機構と、前記メダル貯蔵部に貯蔵されるメダルを前記筺体前面側に払い出すメダル払出部と、を備えることを特徴としてもよい。
【００１１】
この発明によれば、計数機構によって計数されたメダルを受け入れて貯蔵するメダル貯蔵部と、メダル貯蔵部に貯蔵されるメダルを前記筺体前面側に払い出すメダル払出部と、を備えるので、計数用メダル及び補充用メダルを、同一のメダル受入部から同一のメダル貯蔵部に、再度払い出し可能に最大限の貯蔵容量を確保して貯蔵できるようにするとともに、メダル払出機筺体のスペース最小化を図り、使い勝手の良いメダル払出機を提供できる。またこの発明によれば、計数機構で計数したメダルをメダル貯蔵部へ導くメダル導入機構を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手の良いメダル払出機を提供できる。
【００１２】
なお、メダル受入部は、例えば上方が開口したホッパー形式などが例示でき、筺体前面側に筺体内部から引き出す形態としてよく、外部から適宜に取り付ける構造としてもよい。メダル受入部は、開口部の周囲を取り巻く上縁端を上方乃至斜め上方に延伸させるようにするとメダルが投入し易くなり外部に溢してしまうことも少なくなる。またメダル受入部は、下方側を開口させ、メダル収容箱の上縁端と下方側の開口部とがスライド嵌入させ、開口部が上方になるよう回転させてメダル収容箱内のメダルを受け入れるようにするとメダルを外部に溢すことなく受入れることができる。またメダル受入部は、スロットマシン下皿付近に設けられ、当該下皿からの下り傾斜を起立転動させてメダル払出機前面下方に導入するようにしてもよい。
【００１３】
またなお、必要に応じて設けられる整列手段は、例えば、円筒径内に受け入れたメダルを下方に設けられたディスクが回転し、その遠心力で円筒径内外延に設けられた排出口から整列させて排出する機構、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出する機構（ディスク型整列機構）、断面Ｖ字の谷にメダルを落として谷底にメダル外縁端が当接するよう導き入れ、当該谷に沿って下り傾斜を起立転動させて整列させる機構、などが例示できる。またディスク型整列機構の場合、ディスクを挟持し、ディスクの上面側の一部、下面側の全部を覆うよう研磨部材（金属ブラシ等）を配設して、メダルと研磨部材のディスク回転に伴う接触によってメダルの汚れが除去されるようにしてもよい。
【００１４】
またなお、計数機構は、例えば、磁力を励磁し金属体が通貨すると透磁率が増加し磁力検知可能となる近接センサ、光透過センサによって整列したメダルを計数する例が例示できる。
【００１５】
また本発明のメダル払出機は、さらに、前記メダル受入部を前記メダル貯蔵部より上方に備え、前記メダル導入機構は、前記計数機構で計数されたメダルを排出する排出口が前記メダル貯蔵部の上方に臨み、前記計数機構で計数したメダルを前記メダル貯蔵部に落下させて導く機構であることを特徴とする。
【００１６】
この発明によれば、上記作用効果に加えて、メダル受入部をメダル貯蔵部より上方に備え、メダル導入機構は、計数機構で計数されたメダルを排出する排出口がメダル貯蔵部の上方に臨むので、計数機構で計数したメダルをメダル貯蔵部に落下させて導くことができる。
【００１７】
また本発明のメダル払出機は、さらに、前記メダル受入部及び整列手段を前記筺体下方側に備え、前記メダル導入機構は、前記整列手段で整列させたメダルを揚送させる揚送機構を備え、前記揚送機構によって揚送されたメダルを排出する排出口が前記メダル貯蔵部の上方に臨み、前記揚送機構で揚送したメダルを前記メダル貯蔵部に落下させて導く機構であることを特徴とする。
【００１８】
この発明によれば、上記作用効果に加えて、メダル受入部及び整列手段を筺体下方側に備え、メダル導入機構は、整列手段で整列させたメダルを揚送させる揚送機構を備え、揚送機構によって揚送されたメダルを排出する排出口が前記メダル貯蔵部の上方に臨むので、揚送機構で揚送したメダルを前記メダル貯蔵部に落下させて導くことができる。
【００１９】
また本発明のメダル払出機は、さらに、前記計数機構が、前記整列手段と前記揚送機構の間、または前記揚送機構と前記排出口の間、に備えることを特徴とする。
【００２０】
この発明によれば、上記作用効果に加えて、計数機構が、整列手段と揚送機構の間、または揚送機構と排出口の間、に備えることで、実現できる。
【００２１】
また本発明のメダル払出機は、さらに、前記メダル受入部を前記筺体前面下方側に備え、前記メダル受入部で受け入れたメダルを揚送させる揚送機構を備え、前記メダル導入機構は、前記揚送機構によって揚送されたメダルを前記計数機構で計数し、前記計数機構で計数されたメダル排出する排出口が前記メダル貯蔵部の上方に臨み、前記揚送機構で揚送したメダルを前記メダル貯蔵部に落下させて導く機構であることを特徴とする。
【００２２】
この発明によれば、上記作用効果に加えて、メダル受入部を筺体前面下方側に備え、メダル受入部で受け入れたメダルを揚送させる揚送機構を備え、メダル導入機構は、揚送機構によって揚送されたメダルを整列手段で整列後に計数機構で計数し、計数機構で計数されたメダル排出する排出口が前記メダル貯蔵部の上方に臨むので、揚送機構で揚送したメダルをメダル貯蔵部に落下させて導くことができる。
【００２３】
なお、揚送機構は、例えば、無端ベルトを上下方向に回動可能に掛け渡し、メダルを１枚宛てに無端ベルト上の突起または駕籠で支持して揚送させるようにしてもよい。
【００２４】
また本発明のメダル払出機は、さらに、獲得メダルを計数する計数モードと、払い出し用のメダルを補充する補充モードとを切り換える切換手段と、前記切換手段によって計数モードに設定される場合には前記計数機構によって計数された計数結果を遊技者に渡される記録媒体の記録情報に対応付けて記録する計数結果記録手段と、前記切換手段によって補充モードに設定される場合には前記補充のため受け入れた補充用メダルを計数しないかまたは計数してもその計数結果を景品交換可能な獲得遊技媒体数として処理しないようにする補充メダル非処理受入手段と、を備えることを特徴とする。
【００２５】
この発明によれば、上記作用効果に加えて、獲得メダルを計数する計数モードと、払い出し用のメダルを補充する補充モードとを切り換える切換手段と、切換手段によって計数モードに設定される場合には計数機構によって計数された計数結果を遊技者に発行する記録媒体の記録情報に対応付けて記録する計数結果記録手段と、切換手段によって補充モードに設定される場合には補充のため受け入れた補充用メダルを計数しないかまたは計数してもその計数結果を景品交換可能な獲得遊技媒体数として処理しないようにする補充メダル非処理受入手段とを備えるので、補充と計数とを混乱なく切り換えて実施することができる。
【００２６】
なお、切換手段は、例えば店員の携帯するリモコンからの切換指示出力による切り換え、管理装置からの切換指示出力による切り換え、筺体に設けられた指示ボタンの状態出力による切り換え、メダル受入部の開閉いずれか等の状態出力による切り換え、等が例示できる。
【００２７】
なお、計数結果記録手段における「遊技者に渡される記録媒体」とは、例えば、バーコードや獲得玉数を印字したレシート、会員カード、非会員カード、ＩＣコイン等の非接触式ＩＣタグや磁気層を有する記録媒体等を例示できる。これら記録媒体にＳｕｉｃａ（登録商標）のような非接触式ＩＣタグを採用する場合には、ＲＦＩＤリーダ部にＩＣタグをタッチするのみで処理可能である。また計数結果記録手段における「記録媒体の記録情報に対応付けて記録する」とは、例えば、記録情報が計数結果である場合と、記録情報がＩＤ情報でありリーダ装置またはバーコードリーダで読み出したＩＤ情報に基づいて管理装置の記録エリアに計数結果を記録する場合の少なくとも１方の場合などを例示できる。
【００２８】
またなお、補充メダル非処理受入手段における「補充用メダルを計数しないかまたは計数してもその計数結果を景品交換可能な獲得遊技媒体数として処理しないようにする」とは、例えば、補充モードの場合、補充用メダルを計数機構で計数しないでメダル貯蔵部に導くようにしてもよい。計数しないとは、計数機構である近接センサからの金属体検知信号をカウントしないようにしてもよいし、カウントしてもカウントした計数値を記憶しないようにしてもよい。また「計数してもその計数結果を景品交換可能な獲得遊技媒体数として処理しない」とは、例えば、計数機構である近接センサからの金属体検知信号をカウントして記憶するものの、獲得遊技媒体数として記録媒体に記録しない、及び獲得遊技媒体数としてＩＤ情報に基づいて獲得遊技媒体数を格納する記録エリアに記録しないようにしてもよい。
【００２９】
また本発明のメダル払出機の払出方法は、上記本発明のメダル払出機の払出方法であって、前記メダル受入部で受け入れたメダルを前記計数機構で計数する計数工程と、前記計数機構で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴とする。また本発明のメダル払出機の払出方法は、上記本発明のメダル払出機の払出方法であって、前記メダル受入部で受け入れたメダルを、前記整列手段で整列させる整列工程と、前記整列手段で整列させたメダルを前記計数機構で計数する計数工程と、前記計数機構で計数したメダルを前記メダル導入機構によって前記メダル貯蔵部に導く導入工程と、前記メダル貯蔵部に貯蔵されたメダルを前記メダル払出部によって払い出す払出工程と、を備えることを特徴としてもよい。
【００３０】
また本発明のメダル払出機の払出方法であって、前記メダル受入部で受け入れたメダルを前記計数機構で計数する計数工程と、前記計数機構で計数したメダルを前記メダル導入機構によって前記メダル貯蔵部に導く導入行程と、前記メダル貯蔵部に貯蔵されたメダルを前記メダル払出部によって払い出す払出工程と、前記計数結果記録手段によって前記計数機構によって計数された計数結果を遊技者に発行する記録媒体の記録情報に対応付けて記録する計数結果記録工程と、前記補充メダル非処理受入手段によって補充用メダルを計数しないかまたは計数してもその計数結果を景品交換可能な獲得遊技媒体数として処理しないようにする補充メダル非処理受入工程と、を備えることを特徴とする。また本発明のメダル払出機の払出方法であって、前記メダル受入部で受け入れたメダルを、前記整列手段で整列させる整列工程と、前記整列手段で整列させたメダルを前記計数機構で計数する計数工程と、前記計数機構で計数したメダルを前記メダル導入機構によって前記メダル貯蔵部に導く導入行程と、前記メダル貯蔵部に貯蔵されたメダルを前記メダル払出部によって払い出す払出工程と、前記計数結果記録手段によって前記計数機構によって計数された計数結果を遊技者に発行する記録媒体の記録情報に対応付けて記録する計数結果記録工程と、前記補充メダル非処理受入手段によって補充用メダルを計数しないかまたは計数してもその計数結果を景品交換可能な獲得遊技媒体数として処理しないようにする補充メダル非処理受入工程と、を備えることを特徴としてもよい。
【発明の効果】
【００３１】
本発明によれば、計数機構で計数したメダルをメダル貯蔵部へ導くメダル導入機構と、計数機構によって計数されたメダルを受け入れて貯蔵するメダル貯蔵部と、メダル貯蔵部に貯蔵されるメダルを前記筺体前面側に払い出すメダル払出部と、を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手を良くするという効果を得ることができる。
【発明を実施するための最良の形態】
【００３２】
以下、本発明の最良の実施形態によるメダル払出機、及びメダル払出機の払出方法を、図面を参照して説明する。なお以下例示する実施の形態においては、本発明を実現可能な１の例を例示したに過ぎず、本発明は以下実施の形態に限定されない。
【００３３】
図１は本発明第１実施例におけるメダル払出機を遊技機に隣接させて配置した斜視図である。符号１は本発明のメダル払出機である。符号２はスロットマシンである。本発明のメダル払出機１は、紙幣投入口４、投入現金に対応した度数（有価価値）、貯メダルしたメダルを再び遊技に用いるための再プレー用度数（有価価値）、計数したメダル数、補充したメダル数、排出メダル数等を表示するための液晶表示部５、会員カードまたは非会員カードのカード受入発行口６、再プレー用度数を消費して再プレー用メダルを払い出す指示をする再プレーボタン７、受け入れたメダルを計数する計数ボタン８、投入現金に対応した度数を消費してメダルを貸し出す貸出ボタン９、カード返却ボタン９９、を匡体３の前面側上部に備え、店員の所持するカギによって施解錠可能であり匡体３内部にメダルを補充するため補充扉１０、再プレーボタン７または貸出ボタン９の押圧によりメダルを払い出すノズル１３、ノズル１３を鉛直方向にスライド移動可能に支持する鉛直スライド支持体１１、ノズル１３を水平回動可能に支持する水平回動支持体１２を匡体３を、匡体３の前面中央部に備え、受入口１７から転動するメダルを湾曲路１５、長さ調整通路１４を介して受け入れるための機構を匡体３の前面下部に備える。
【００３４】
また、湾曲路１５には灰皿４５を取り付け可能であり、灰皿４５には煙草の火を消すための格子部４７、蓋４６を備える。後程詳述の如く、灰皿４５の下部は煙草搬送路へ煙草の吸殻を導くことが可能に構成されている。
【００３５】
スロットマシン２は、メダル投入口２４、遊技の結果獲得したメダルを払い出すための払出口１８、スロットマシンの回動式リールを回動させるスタートレバー１９、メダル投入口２４から投入された保留メダル数（最大５０枚迄保留するため投入可能）のうち賭けることが可能な１枚から最大３枚のうち最大３枚のメダルをかけるためのＭＡＸＢＥＴボタン２０、左リール停止ボタン２１、中央リール停止ボタン２２、右リール停止ボタン２２、大当り絵柄を含む種々の絵柄をペイントした回動式リールを収納した回動式リール部２５、下皿４３を備える。
【００３６】
次に図２に基づいて説明する。図２は、スロットマシン２及びメダル払出機１の背面側からみた斜視図である。スロットマシン２の内部には、ホッパー３１と、ホッパー３１に蓄えたメダルを賞として払い出すためのモータ機構３２を備え、ホッパー３１にメダルがいっぱいになるとその上部側のメダルは、満杯メダル排出口２９、満杯メダル通路３０、回収ボックス３３、スロットマシン底部開口部４２、搬送駆動ローラ３５で駆動される無端ベルトで構成された満杯搬送路３４、揚送機４０へ搬送される。図３は、スロットマシン２及びメダル払出機１を底面側から見た図である。図３に示す如くスロットマシン２の底部開口部４２から落下した満杯メダルは満杯搬送路３４の無端ベルト上面に至り、搬送下流の端部において底部滑り台４１を介して揚送機４０に導かれる。底部滑り台４１の下流下端部には、シャッタ（図示しない）を備え、シャッタは、揚送ベルト３８と揚送機カバー３９の間の隙間が生じる時には閉鎖されてメダルは滑り台４１上に滑落しないで留まり、揚送ベルト３８と揚送機カバー３９の間の隙間が生じないように揚送ベルト３８に取り付けられた籠が存在する場合には、シャッタが開となりメダルは底部滑り台４１上を滑落して籠に導かれる。なお、満杯搬送路３４、揚送機４０は定期的に駆動されるか、またはメダルの侵入を光透過センサにて検知した際に駆動される。
【００３７】
揚送機４０は、揚送駆動ローラ３７のいずれか一方で駆動され、外面にメダルを持ち上げるための籠（図示しない）を備えた無端ベルト３８を揚送するもので、無端ベルト３８の周囲を揚送機カバー３９で覆うように形成され、揚送上部に揚送したメダルを排出するための排出口３６を備える。籠（図示しない）の底はメダル重量に抗して開口しないようばねにより閉塞されているが、揚送上部において無端ベルト３８が揚送ローラ３７に導かれてカーブすると籠（図示しない）の底に設けられた突起と、揚送機カバー３９に設けられた突起と、が当たると揚送メダルが入った籠の底面が開口し、籠の側面の排出口３５に向かっての下方傾斜に導かれて揚送したメダルが排出口３６に導かれる。なお揚送上部において無端ベルト３８が揚送ローラ３７に導かれてカーブすると、籠の底面の開口に向かっての下方傾斜側面の下端部は、揚送機カバー３９より外部側に突出するよう、籠の揚送方向と垂直な方向の上端水平側面の両側に籠上方に突出したアームが無端ベルト３８と回動自在の軸支されている。
【００３８】
またメダル払出機１の背面側において、外部にメダルタンク６２が満杯となった際の上部付近メダルを排出するための滑り台２６を備え、その滑り台２６に導かれた余剰メダルは、さらにメダル払出機の背面口より外部に滑落して外部滑り台２７を介してスロットマシン２の背面側よりホッパー３１に導かれる。
【００３９】
次にスロットマシン２の前面下部側を拡大した斜視図である図４に基づいて説明する。また図４における、断面Ｑ、断面ＳにおけるＡＡ’方向から見た図をそれぞれ図６に示す。図４に示す如く、スロットマシン２の下部側に設けられた下皿４３に隣接して受入口１７を配置する。カウンタ４４の遊技者側への突出がほとんどない場合でも、スロットマシン２の下皿４３の遊技者側側面に、受入口１７に嵌め込まれたフック５３を掛けて、受入口１７を下皿４３に隣接して固定することができる。フック５３は、溝５４に沿って水平スライド可能に溝５４に嵌め込むことができる。溝５４は受入口１７の水平長手方向に沿って上下に２段（場合によっては上下方向に溝５４をさらに増設してもよい）設けられており、スロットマシン２の下皿４３の上端部の高さによらず、受け入れたメダルをメダル払出機１の下方側に設けられた受入口へ、転動滑落可能な傾斜角度となるよう、フック５３の位置を調整できる。
【００４０】
受入口１７は、上に凸にＲをなした曲面５６を有して断面Ｖ字の谷を形成する。下皿４３からメダルをＶ字谷に投入すると、メダルＭは曲面５６に沿って滑落し、谷底５５に下端部が接すると起立する。メダルＭは、図６における断面Ｑの上流側から断面Ｓの下流側へ下方傾斜した谷底５５に沿って転動流下する際、メダルＭの上端部が取り出し可能に露出した状態となる。このようにメダルＭの上端部を取り出し可能に露出させることは、メダル払出機１に至るまでメダル転動通路の上部を開口させると、詰まりが発生したときに取り出し易くて好ましい。なお、受入口１７の遊技者側の壁面は１７１の如く遊技者側へ上端部が突出する形態をとるとメダルＭを１７１側面に沿ってならべられるので見栄えが良いので好ましい。また点線部５７の空間によって、カウンタ４４の遊技者側端部の遊技者側方向や上方向への突出寸法が多少あっても、受入口１７とカウンタ４４が当たらないようにできる。
【００４１】
受入口１７と湾曲部１５の間は転動メダルＭが転動流下可能に若干の段差を有し、受入部１７と湾曲部１５とは上下方向における取り付け位置自在に、湾曲部１５に設けられた上下方向の溝（図示しない）に受入部１７の下流端部に設けられた突起（図示しない）を、上方から受入部１７を嵌入させて接続する。また湾曲部１５の最上流側には、メダル払出機１の収容メダルが満杯になった際にこれ以上の受け入れを禁止するためのソレノイドバルブからなるシャッタ５２が設けられている。
【００４２】
湾曲部１５からメダル払出機１に至る間は、上方が開口した長さ調整通路１４を接続する。長さ調整通路１４は、適宜に現場の寸法に合わせてカットし、適当な寸法とする。長さ調整通路１４は、湾曲部１５側の端部に設けられた上下方向の溝（図示しない）に上方からメダルが転動流下可能に嵌入させ、メダル払出機１側の端部は、水平方向から嵌入して接続する。このように現場の寸法に合わせて長さ調整通路１４の長さを適宜に設定することで、受入口１７は、スロットマシン２の下皿４３の突出寸法に合わせて水平方向に隣接して配置することができる。
【００４３】
図５に示す如く、灰皿４５は、嵌合突起４９を介して湾曲部１５の湾曲内側側面に設けれた穴（図示しない）に嵌合して設置される。灰皿４５は上面の格子部４７、蓋４６、及び上部筺体５１が金属で形成され、下部には厚み内部に空洞のある可撓性耐熱部材４８（格子状のガラス繊維であるガラスクロスまたは不織布に可撓性かつ耐熱性のあるエポキシとかシリコン等の熱硬化性樹脂を含浸させたもの等が例示できる。熱硬化性樹脂には不燃性を高めるためのフィラーとしてカーボン等を混入させてもよい）の空洞部分に金属リング５０を挿入させたものである。金属リング５０のＲ部はオーバーラップしており、既設の吸殻搬送装置に設けられた灰皿の内径に合わせて金属リング５０を嵌めこむことで、可撓制耐熱部材４８のたわみによって、灰皿４５の取り付け位置と上記既設灰皿の取り付け位置のずれを吸収し、吸殻を上記既設灰皿へ落下可能に導く。なお可撓制耐熱部材４８に余剰部分がでる場合は、余剰部分が吸殻の落下を妨げるので、この金属リングの位置をやや上方とし、可撓制耐熱部材４８の下端部は、吸殻の落下を妨げないようカットしてもよいし、外部側に巻いておいてもよい。
【００４４】
なお、灰皿４５の周囲の空間は、掃除のし難い、手が入り難いデッドスペースになるので、煙草の灰で汚れてしまったり、ジュースでベトつくことも考えられるので不衛生である。そこで、灰皿４５の周りの空間である湾曲部１５、長さ調整通路１４、メダル払出機１の前面、スロットマシン２の下皿４３のメダル払出機１側側面で囲まれた空間部を上方から覆う蓋を設けることが好ましい。
【００４５】
次いで図７について説明する。図７は本発明のメダル払出機１を側面方向から見た内部断面説明図である。受入口１７から湾曲部１５、長さ調整通路１４を介して受け入れたメダルを揚送機構６０によって揚送する。揚送機構６０は、リフト機構駆動モータ６４によって駆動するローラによって無端ベルトを回転させて駆動する。無端ベルトにはメダルＭの受け入れ方向から内部方向（図７の中央側）に向かって下方傾斜した搬送突起８３を備え、揚送機構カバー６１で無端ベルトの周囲を覆うように形成される。揚送機構６０の揚送上端部には近接センサＳが設けられ、金属の近接を検知すると透磁率が上昇することを利用して金属の近接を検知する。近接センサＳによって検知されたメダルは、メダル払出機１の制御部によって計数され、制御部は、その計数結果を管理装置１００に通信インターフェース回路を介して送信する。
【００４６】
また揚送機構６０によって揚送されたメダルＭは、矢印Ｕの方向に開口された開口部を介して、搬送突起８３の下方傾斜面と、揚送機構カバー６１の側面と、及び無端ベルト側面に沿って、矢印Ｕの方向に転動流下してメダルタンク６２内に収容される。
【００４７】
メダルタンク６２内に収容されたメダルＭは、後程詳述する貸出ボタン９押圧等の指示に従って払出用モータ６５を駆動して払出用ノーズ６３を介して、ノズル１３から機外に放出される。また補充用メダルは、補充扉１０を開いて投げ入れて補充され、補充樋５８を滑落してメダルタンク６２の中央部に導かれるが、補充メダル数を特定するために、補充用メダルは受入部１７、６７、６８を介して計数機構Ｓ、７０によって計数された後メダルタンク６２に収容されるようにしてもよい。補充扉１０からメダルを補充する際には、メダルタンク６２の底部に重量センサを設けて補充数、内蔵メダル総量を把握してもよい。把握した補充数、内蔵メダル総量は液晶表示部５に指示に従って表示する。
【００４８】
また補充用メダルは、島内メダル供給搬送路６６、揚送機４０を介してメダル払出機１の背面側より補充してもよい。なお島内メダル供給搬送路６６を用いる場合には、背面導入樋７３を介してメダルタンク６２に収容するが、メダルタンク６２が満杯の場合にはシャッタ８８によってメダルタンク６２への流下を阻止することができる。また島内メダル供給搬送路６６、揚送機４０は併用しても、別個に用いてもよいが、併用する場合排出口３６は図２よりさらにメダル払出機１の背面側において上方に大きく開口し、その上方の大きく開口した部分からメダル供給搬送路６６から補充用メダルを受け入れる。
【００４９】
次にメダルタンク６２が満杯になった場合について説明する。島内メダル供給搬送路６６を備える場合には、排出樋５９から島内メダル供給搬送路６６へ余剰メダルを排出する。島内メダル供給搬送路６６を備えず、メダル払出機１及びスロットマシン２の底面側に満杯搬送路３４、及びメダル払出機１の背面側に揚送機４０を備える場合には、排出樋５９と同様の滑り台２６から外部滑り台２７を経由してスロットマシン２に内蔵されるホッパー３１にメダルを提供するようにしてもよい。またシャッタ８９を開口し、メダルタンク６２における底部排出樋９０上を、メダルを滑落させて外部の下部排出口９１から外部へ排出するようにしてもよい。なおメダルタンク６２が満杯になったことの検出は、メダルホッパーの排出樋５９の上端付近に設けられた近接センサによりなされる。
【００５０】
次に第２、第３の実施の形態として、遊技者がスロットマシン２の下皿４３に貯えた賞メダルを手で受入口６７、６８に運んで入れるタイプのメダル払出機１を説明する。図８及び図９は、それぞれ、第２の実施の形態、第３の実施の形態としての、メダル払出機１の斜視図である。図８における受入口６７においては、遊技客がスロットマシン２の下皿４３に貯えた賞メダルを手で受入口６７に運んで入れる。
【００５１】
図９においては遊技客がスロットマシン２の下皿４３に貯えた賞メダルを手でメダル箱６９に入れて、メダル箱６９をメダル箱嵌合構造を備えた受入口６８に、メダル払出し機１前面方向に向かってスライドさせて挿入嵌合させ、次いでメダル箱嵌合部６８とメダル箱６９をメダル払出機１の前面に対し垂直な方向を回転軸として回転させて、メダル箱６９が逆さになると、メダル箱６９内のメダルが受入口６８の底面に沿って滑落し、図１０（図１０は本発明のメダル払出機１を側面方向から見た内部断面説明図である。）における計数機構７０に導かれ、計数機構７０で計数されたメダルはメダルタンク６２へ図示された矢印の方向へ落下して収容される。
【００５２】
計数機構７０は、特公昭６３−３６０４０公報記載の円筒径内を回転するディスクにメダルを受け入れるメダル受入孔を設け、ホッパー底部に設けられた固定されたガイドピンであって、ディスクが回転するとディスク下面側であってディスク回転軌道上に設けられた切欠部をガイドピンが通過するよう構成され、メダル受入孔に受け入れたメダルがガイドピンに導かれ、円筒径内外延に設けられた排出口から１枚毎に排出するよう構成された整列手段を備える。整列手段によって整列させたメダルを近接センサによって１枚毎に検知して計数する。また上記ディスクを挟持し、ディスクの上面側の一部、下面側の全部を覆うよう研磨部材（金属ブラシ等）を配設して、メダルと研磨部材のディスク回転に伴う接触によってメダルの汚れが除去される。
【００５３】
なお図１０における１３、５９、６２、６３、６５、６６、７３、８８、８９、９０、９１は図７と同様である。
【００５４】
次いで本発明を応用した実施の形態を図１１から図１３に基づいて説明する。図１１は第４の実施の形態であり、本発明第１実施例を応用したメダル払出機１を遊技機に隣接させて配置した斜視図である。図１２は揚送機構７４の拡大した斜視図である。図１３は、図１２における断面ＴのＷＷ’視である。図１１における揚送機構７４はメダル払出機１の前面側外面に着脱自在に取り付けられ、無端ベルト７５をモータ８７で駆動される駆動ローラ８６で回動駆動される。また無端ベルト７５は図示しないフリーローラで下方端が回動自在に軸支される。
【００５５】
揚送機構７４は、透明な樹脂で形成された断面長方形の直方体形状のスペース７４２、７４３を含んだカバー体７４１に、無端ベルト７５が覆われ、無端ベルト７５がカバー体７４１内の前記スペース７４２、７４３内を上下方向に回動可能に構成される。また無端ベルト７５には図７における揚送機構６０における搬送突起８３が設けられ、搬送突起８３とカバー体７４１内のスペース７４２側壁の間の隙間をメダル１枚の厚みより小さく、無端ベルト７５のベルト側面と前記スペース７４２側壁の間の隙間をメダル１枚の厚みよりやや大きく構成することで、メダルがその隙間から落ちてしまわないようにすることができる。そしてカバー体７４１が透明な樹脂で形成されるので、遊技客が獲得したメダルについての揚送機構７４による揚送過程及びその後の経路が視認でき、遊技客がホールに搬送中のメダルを取られてしまう懸念を持たれることもない。
【００５６】
無端ベルト７５の下端部における長さ調整通路１４から転動流下したメダルは、無端ベルト７５表面に設けられた搬送突起８３の上に位置して、無端ベルト７５の揚送に伴って揚送される。計数ボタンが１回押されると計数モードに移行する。計数モードに設定される場合、ソレノイド８５から突出部８４が、搬送突起８３とカバー体７４１内のスペース７４２側壁の間の隙間に揚送されたメダルを、メダル払出機１の筺体３前面に穿設された穿設口７７に導くよう斜めに７６の状態で突出するとともに穿設口７７のシャッタが開口し、揚送されたメダルは突出部７６に導かれて穿設口７７を経由してメダルタンク６２内に収容される。なお計数モードに設定される場合、計数機構は突出部７６の下方側のカバー体７４１の側面に近接センサＳが取り付けられており、１枚宛てに計数可能である。計数モードは、計数したメダルが所定時間（例えば１５秒）計数が中断すると計数モードを脱し、通常の払出モードに移行する。またなお計数モード以外のモードにおいてはソレノイド８５が作動して突出部が８５の状態となり、穿設口７７に設けられたシャッタは閉塞状態をとる。
【００５７】
通常の払出モードの状態で、即投入ボタン９９９が１回押されると即投入モードに移行する。即投入モードの場合、ソレノイド８５の突出部が８４の状態となり筺体３に引っ込み、無端ベルト７５がスペース７４２から上方の広い空間部に抜けるとメダル載置面が下向きとなるよう駆動ローラ８６を配置されているので、無端ベルト７５によって揚送されたメダルは、傾斜面８０に落下し、開口７９からネット８１に滑落して蓄積される。なお即投入モードは所定時間（例えば１５秒）近接Ｓがメダルを検知しない場合に即投入モードを脱し、通常の払出モードに移行する。
【００５８】
通常の払出モードは、紙幣投入口４に紙幣が投入されるか、またはカード受入発行口６に会員カードまたは非会員カードを受け入れると設定される。そしてカード返却ボタン９９が押されて、投入紙幣分の有価価値（度数）または計数した獲得メダル数、が付与された会員カードまたは非会員カードが排出されると通常の払出モードを脱し、待機状態となる。
【００５９】
通常の払出モードにおいては、貸出ボタン９が押されれば、所定数の度数が消費されて消費された度数分のメダルがメダルタンク６２から払出用モータ６５を駆動して払出用ノーズ６３を介して、払出口７８から払い出される。また通常の払出モードにおいては、再プレーボタン７が押されれば、所定数の貯メダルまたは持ちメダルが消費されて消費されたメダルがメダルタンク６２から払出用モータ６５を駆動して払出用ノーズ６３を介して、払出口７８から払い出される。そして払い出されたメダルは、傾斜面８０に落下し、開口７９からネット８１に滑落して蓄積される。なお持ちメダルとは、再プレー手数料がかからないことを前提とした当日分の計数メダル数であり、貯メダルとは再プレー手数料がかかることを前提とした前日以前の計数メダル数である。持ちメダル及び貯メダルは、夫々別個の再プレー手数料を設定できるが、おそらくホールは持ちメダルについて、運用上の選択事項として再プレー手数料をかけない。
【００６０】
なお、ネット８１は針金状の滑落するメダルを下側を落ちないようにサポートする斜め下方に導くガイドであり、メダル投入口２４に隣接して配置され、メダル投入口２４の積層メダル載置面とネット８１の傾斜角が略一致するよう設定される。このようにネット８１を構成することで、遊技客がネット８１に積層されて蓄積したメダル複数を任意に掴んでメダル投入口２４に入れやすくする。
【００６１】
なお、図７及び図１３に示す如く、近接センサＳの近傍には、揚送メダルの片面全体を回転させて研磨する回転研磨部７５１及び回転研磨部７５１を回転駆動するための回転研磨モータ７５２を揚送機構カバー６１やカバー体７４１に備え、近接センサＳが揚送メダルを検知すると回転研磨モータ７５２を駆動して回転研磨部７５１を回転させる。回転研磨部７５１は交換可能とするため、回転研磨モータ７５２に対して着脱可能である。回転研磨部７５１の回転方向は、揚送されるメダルを下方に押し付ける方向に回転させ、揚送されメダルは、搬送突起８３の下支えがあるので、回転研磨部７５１により下方に圧迫される力を受けてもメダル自体は変わらず揚送可能である。回転研磨部７５１は、金属ブラシ等が好ましく、金属ブラシ先端が揚送されるメダル表面に当接する位置に無端ベルト方向に揚送機構カバー６１やカバー体７４１から望む。また回転研磨によりメダルから落ちた汚れは、スペース７４２を落下して下方端に配置された皿に落ちる。皿は外部より取り出して汚れを皿から取り除くことができる。
【００６２】
次に図１４に基づき本発明のメダル払出機１を採用した管理システムを説明する。当該管理システムは、接続機器間で相互に通信可能なネットワーク１０１に、管理装置１００、島コントローラ１０２が接続されている。また、メダル払出機１に隣接した複数の島内メダル供給搬送路６６にメダル搬送通路１０５を介してメダルを提供し、これらメダル供給のためのメダル供給装置１０４が必要に応じて接続される。なおメダル搬送通路１０５は島間に渡って設けることもできる。またメダル供給装置１０４にはメダルを洗浄する機能も有する。
【００６３】
管理システムにおいては、主に、各メダル払出機１に内蔵するメダル数量、メダル払出機１とスロットマシン２の各セットに内蔵するメダル合計数量を管理し、特定のメダル払出機１に内蔵するメダル数量、メダル払出機１とスロットマシン２の特定のセットに内蔵するメダル合計数量が少ない場合または多い場合、そのメダル払出機１、またはスロットマシン２へメダルを補充または取り去りすることを目的に、内蔵メダル数量の少ないまたは多いメダル払出機１、メダル払出機１とスロットマシン２の特定のセットのナンバー等の特定情報とともに報知する。またパチンコホールにとって人件費削減等の営業上の必要に応じて設けられる島内メダル供給搬送路６６、メダル搬送通路１０５、メダル供給装置１０４を備える場合には、内蔵メダル数量の少ないメダル払出機１、メダル払出機１とスロットマシン２の特定のセットに、メダル供給装置１０４からメダル搬送通路１０５と島内メダル供給搬送路６６を介して、メダル払出機１、またはスロットマシン２へメダルを補充し、内蔵メダル数量の多いメダル払出機１、メダル払出機１とスロットマシン２の特定のセットから、メダル供給装置１０４へ、メダル搬送通路１０５と島内メダル供給搬送路６６を介して、メダル払出機１、またはスロットマシン２からメダルを取り去る。
【００６４】
メダル供給装置１０４は、装置内にメダル搬送通路１０５からメダルを受け入れると、無端ベルトに籠を設けたリフトによって揚送し、揚送後に上下２段からなる略水平方向に搬送する下側無端ベルトにメダルを配置させ、その状態でメダルを下側無端ベルトの搬送方向に搬送させると、メダルは下側無端ベルトと異なる方向に回転駆動する上側無端ベルトに挟持される。上側無端ベルトと下側無端ベルトとに挟持されてメダルが下側無端ベルトの搬送に伴い下側無端ベルトから滑落すると、貯蔵タンクに一旦ストックする。貯蔵タンクに貯蔵されたメダルは、既述のディスク型整列機構により搬送通路１０５に排出される。
【００６５】
搬送通路１０５は、島内及び各島間に渡ってメダルを搬送する無端ベルトの組み合わせからなる通路であって、各スロットマシン２に隣接して設置されるメダル払出機１の背面側に設けられた各島内メダル供給搬送路６６（トンネル形状）にメダルを搬送する。
【００６６】
島内メダル供給搬送路６６は、搬送通路１０５を覆うトンネル形状であり、メダル払出機１やスロットマシン２にメダルを供給する場合には、シャッタ８８を開として、搬送通路１０５の無端ベルト上面において、背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させる。またメダル払出機１またはスロットマシン２の余剰メダルは、搬送通路１０５へ、排出樋５９を介し滑落させる。
【００６７】
まず、島内メダル供給搬送路６６、メダル搬送通路１０５、メダル供給装置１０４、を備える場合について説明する。管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、第２の所定数量を下回ったメダル払出機１、及びメダル払出機１とスロットマシン２の各セットをピックアップすると、そのメダル払出機１を特定する情報（台番号等）を、メダル供給装置１０４に送信する。するとメダル供給装置１０４は、メダルをメダル搬送通路１０５に排出するとともに、メダル払出機１を特定する情報に対応したメダル払出機１の背面に設けられた島内メダル供給搬送路６６に対し、シャッタ８８を開として、搬送通路１０５の無端ベルト上面に背面導入樋７３へメダルを導くためのガイドを、ガイド先端側が搬送通路１０５上流側に臨むように突出させ、メダル払出機１またはスロットマシン２側のガイド後端側が搬送通路１０５の下流側に位置させ、搬送通路１０５からメダルをメダル払出機１に取り込む。
【００６８】
また、管理装置１００は、通信インターフェース回路（以後インターフェース回路をＩＦと呼ぶ）を介して島コントローラ１０２に中継されて受信した各メダル払出機１、またはメダル払出機１とスロットマシン２の各セットにおける内蔵メダル数量データを監視し、必要量のメダルに収容し終えたメダル払出機１、及びメダル払出機１とスロットマシン２の各セットをピックアップすると、島内メダル供給搬送路６６に対し、シャッタ８８を閉として、搬送通路１０５の無端ベルト上面に背面導入樋７３へメダルを導くためのガイドを、搬送通路１０５上から上方に移動させて、メダルとガイドが当接しないようにする。
【００６９】
なお、このように島内メダル供給搬送路６６、メダル搬送通路１０５、メダル供給装置１０４、を備える場合には、管理装置１００は電源ＯＮの際、島コントローラの中継で各メダル払出機１に通信ＩＦを介して「自動補充モード」である旨を通知する。するとメダル払出機１は、「自動補充モード」であれば、補充のために払出や計数を禁止する必要がないので、後程詳述する補充モードへの移行を行わない。この場合、常にメダル払出機１は既述の待機モード、払出モード、または計数モード、に移行する。なお島内メダル供給搬送路６６、メダル搬送通路１０５、メダル供給装置１０４、を備える場合、メダル払出機１、またはメダル払出機１とスロットマシン２の各セットにおける内蔵メダル数量が多すぎる場合には、排出樋５９から島内メダル供給搬送路６６へ余剰メダルが排出されるので、余剰メダルを排出する排出モードに移行する必要はない（ステップＳ１０６）。
【００７０】
島内メダル供給搬送路６６、メダル搬送通路１０５、メダル供給装置１０４、を備えない場合について説明する。管理装置１００は、通信ＩＦを介して島コントローラ１０２に中継されて受信した各メダル払出機１、またはメダル払出機１とスロットマシン２の各セットにおける内蔵メダル数量データを監視し、第２の所定数量を下回ったメダル払出機１、及びメダル払出機１とスロットマシン２の各セットをピックアップすると、店内インカムに音声で台番号とその台番号のメダル払出機１にメダルを補充するよう通知し、そのメダル払出機１を特定する情報（台番号等）に対応するメダル払出機１に島コントローラ１０２を中継して通信し、補充モードになる旨の情報を送信する。するとメダル払出機１は、上記「自動補充モード」でなければ、強制的の補充モードとなり、遊技者による計数モード、及び払出モードへの移行は禁止される（ステップＳ１０５）。
【００７１】
やがて店員によってそのメダル払出機１へのメダルの補充がなされ、メダル払出機１の制御部１０３が、センサＩＦを介して、メダル払出機１のメダルタンク６２のメダル重量や、補充に際して計数機構７０や近接センサＳを介して１枚宛てに補充した場合にはその補充メダルの数量が充足にたる所定量となったことを検知すると、管理装置１００に島コントローラ１０２を介して通信ＩＦよりその旨を送信する。すると管理装置１００の制御部は補充が終了した旨の通知を、インカムを介して音声にて行い、当該メダル払出機１に島コントローラ１０２の中継により通信ＩＦを介して補充モード終了の旨を通知する。メダル払出機１はその補充モード終了の旨を受けて、カード受入発行口６にカードがあれば通常の払出モードに移行して計数モードに移行可能とし、カードがなければ待機状態に移行する（ステップＳ１０５）。
【００７２】
また島内メダル供給搬送路６６、メダル搬送通路１０５、メダル供給装置１０４、を備えない場合、管理装置１００は、通信ＩＦを介して島コントローラ１０２に中継されて受信した各メダル払出機１、またはメダル払出機１とスロットマシン２の各セットにおける内蔵メダル数量データを監視し、第２の所定数量より大きい第１の所定量を上回ったメダル払出機１、及びメダル払出機１とスロットマシン２の各セットをピックアップすると、店内インカムに音声で台番号とその台番号のメダル払出機１に余剰メダルを取り去るよう通知し、そのメダル払出機１を特定する情報（台番号等）に対応するメダル払出機１に島コントローラ１０２を中継して通信し、排出モードになる許可を与える旨の情報を送信する。するとメダル払出機１の制御部１０３は、上記「自動補充モード」でなければ、かつ排出モードになる許可を受けていれば、店員によるリモコンにより排出モードが設定されると、遊技者による計数モード、及び払出モードへの移行は禁止され、メダル払出機１の前面側の払出口７８や、ノズル１３から内蔵メダル数量が第１の所定数と第２の所定数の中間程度の第３の所定数となるまで余剰メダルが排出され、第３の所定数になると排出モードが終了する旨の通知を管理装置１００から行うとともに、制御部１０３は、液晶表示部５に表示ＩＦを介して排出モード終了の表示を行い、店員がリモコンの了解ボタンを押すと、カード受入発行口６にカードがあれば通常の払出モードに移行して計数モードに移行可能とし、カードがなければ待機状態に移行する（Ｓ２００）。
【００７３】
なお、メダル払出機１の制御部１０３は、ノズル１３の位置センサからの信号をセンサＩＦから入力し、ノズル１３の位置がスロットマシン１の下皿４３に位置していた場合、当該位置を脱する迄、管理装置１の制御部に通信ＩＦを介して島コントローラ１２より指示して、その指示を通信ＩＦを介して受けた管理装置１の制御部が、インカムを通じて、○○番台のノズルをスロットマシンの下皿から外してください、と放送し続ける（ステップＳ１０５）。なお管理装置１００の制御部は、計数処理中、補充処理中にメダルタンク６２に内蔵するメダル数（島コントローラ１０２を経由して通信ＩＦを介し制御部が受信した値）が所定の多量の値（第４）を超えたか否かを判定し、超えたと判定した場合には、直にメダル計数処理または補充処理を停止する旨の情報を、メダル払出機１に通信ＩＦを介して、島コントローラ１０２の中継により通知し、メダル払出機１は当該通知に基づき計数処理、補充処理を停止する（Ｓ２００）。
【００７４】
次に図１４に示す各装置のハードウェア構成を説明する。管理装置１００は、制御部を内蔵し、制御部はＣＰＵ、プログラムを記憶する半導体ハードディスク、一時的な演算結果を記憶するＲＡＭで構成される。また管理装置１００は、島コントローラ１０２及びメダル供給装置１０４と通信するための通信ＩＦを備える。また管理装置１００は、ネットワーク上の１乃至複数の管理装置（例えばカード管理装置、景品管理装置、台毎メダル量管理装置、等）で構成して、管理装置で行うＪＯＢを分散して実行させてもよいし、勿論１の管理装置で構成してもよい。
【００７５】
島コントローラ１０２は、制御部を内蔵し、制御部はＣＰＵ、プログラムを記憶する半導体ハードディスク、一時的な演算結果を記憶するＲＡＭで構成される。また島コントローラ１０２は、管理装置１００、メダル払出機１及びメダル供給装置１０４と通信するための通信ＩＦを備える。
【００７６】
メダル供給装置１０３は、既述の機械機構に加え、制御部を内蔵し、制御部はＣＰＵ、プログラムを記憶する半導体ハードディスク、一時的な演算結果を記憶するＲＡＭで構成される。またメダル供給装置１０３は、管理装置１００、島内メダル供給搬送路６６と通信するための通信ＩＦを備える。
【００７７】
またメダル払出機１は、既述の機械機構に加え、制御部１０３を内蔵し、制御部１０３はＣＰＵ、プログラムを記憶する半導体ハードディスク、一時的な演算結果を記憶するＲＡＭで構成される。またメダル払出装置１には島コントローラ１０２と通信するための通信ＩＦ、カードリーダライタ及び制御部１０３とカードリーダライタが通信するためのカードリーダライタＩＦ、紙幣識別装置及び制御部１０３と紙幣識別装置が通信するための紙幣識別ＩＦ、各ボタンの押圧を制御部１０３が検知するためのボタンＩＦ、液晶表示部５及び制御部１０３が通信するための表示ＩＦ、計数機構Ｓや７０などからの出力を受けるための電気的特性（例えばインピーダンス変換等）変換するセンサＩＦ、各種モータを制御するモータＩＦを備える。
【００７８】
次に図１５に基づいて、管理装置１００についてのフローチャートを説明する。まず図示しない朝一番における電源投入時において、管理装置１００の制御部は、パワーオンで起動するリセット割り込み処理において、設定された「自動補充モード」または「非自動補充モード」である旨の情報を、通信ＩＦを介して島コントローラ１０２に中継させて各メダル払出機１に送信する。
【００７９】
次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ１００からリターン迄を繰り返す。Ｓ１００では、各メダル払出機１が行った各モードにおける、払出モード時のメダルの払い出し数量である払出数、計数モード時のメダルを計数した累積値である計数値、補充モード時の不足メダルの補充を行った補充数、排出モード時の余剰メダルの排出を行った排出数、メダル払出機１に内蔵される第１の総量メダル数、メダル払出機１およびスロットマシン２に内蔵される第２総量メダル数、カードリーダライタのリーダライタ部に受け付けているカードＩＤ情報、ＯＵＴ（賞として払い出されるメダル数）、ＩＮ（遊技のために投入されたメダル数）、台番号を、各メダル払出機１の制御部１０３により通信ＩＦを介して、島コントローラ１０２に中継されて、管理装置１００の通信ＩＦを介して管理装置１００の制御部が受信する。
【００８０】
管理装置１００の制御部は受信した前記払出数、計数値、補充数、排出数、第１の総量メダル数、第２の総量メダル数、ＩＮ、ＯＵＴ、ＩＮとＯＵＴの差、時刻、カードＩＤ情報、台番号、島番号、遊技機機種をカードＩＤ情報、台番号、島番号、遊技機機種に対応して半導体ハードディスクの所定の領域に記憶し、指示に従い、所定期間の集計結果、履歴データを、ホール全体、台毎、登録した同じ遊技台グループ毎、島毎、カードＩＤ毎、会員毎に表示モニタに表示したり、印刷することができる（ステップＳ１００）。
【００８１】
次に各メダル払出機１が何のモードなのか、即ち、払出モード、計数モード、補充モード、排出モード、自動補充モード、非自動補充モード、第４の実施の形態の場合には、即投入モードの各モードである旨の情報を、各メダル払出機１の制御部１０３から通信ＩＦを介して、島コントローラ１０２に中継させて、管理装置１００の制御部が、通信ＩＦを介して受信する（ステップＳ１０１）。
【００８２】
次にステップＳ１００で受けた各パラメータにより出入りするメダル数は全て把握できるので、各メダル払出機１に内蔵される総量メダル数（ステップＳ１０２）、各メダル払出機１とスロットマシン２のセットに内蔵される総量メダル数を計算する（ステップＳ１０３）。尚、ステップＳ１００で受信した総量メダル数と異なる場合（重量センサでメダル数を検知する場合は大きく異なる場合）、当該台番号のメダル払出機１が故障である旨あるいは故障確認を行う旨の指示を出す。
【００８３】
ステップＳ１０４においては島内メダル供給搬送路６６、メダル搬送通路１０５、メダル供給装置１０４、を備える「自動補充モード」である場合ステップＳ１０６に移行し、島内メダル供給搬送路６６、メダル搬送通路１０５、メダル供給装置１０４、を備えない「非自動補充モード」である場合ステップＳ１０５に移行する（ステップＳ１０４）。
【００８４】
ステップＳ１０５は、上記既述の通りである（ステップＳ１０５）。ステップＳ１０５終了後はリターンしスタートに戻る。
【００８５】
ステップＳ１０６は、上記既述の通りである（ステップＳ１０６）。ステップＳ１０５終了後はリターンしスタートに戻る。
【００８６】
次に図１６に基づいて、メダル払出機１の制御部１０３で実行されるフローチャートを説明する。まず図示しない朝一番における電源投入時において、パワーオン時に起動するリセット割込処理により、メダル払出機１の制御部１０３は、管理装置１００の制御部から、設定された「自動補充モード」または「非自動補充モード」である旨の情報を、通信ＩＦを介して島コントローラ１０２に中継させて受信し、一旦待機モードをとる。次いでリセット割込処理において半導体ハードディスクからＲＡＭにプログラムが移行されるとともにＲＡＭのプログラム先頭アドレスにジャンプして先頭アドレスに記憶されたメインルーチンが起動され、以降Ｓ２００からリターン迄を高速に繰り返す。
【００８７】
まず制御部１０３は、ステップＳ２００のモードの設定において、現金の投入が紙幣投入口４になされるか、またはカードの投入がカード受入発行口６になされたことを、夫々、カードリーダライタＩＦ、紙幣識別ＩＦを介して検知すれば払出モードに設定する。なお現金の投入がなされ、カードリーダライタ内におけるリーダライタ部に、読み取り可能なカードないことを、カードリーダライタＩＦを介して制御部１０３が検知した場合、複数の非会員カードが発行可能に貯留される貯留部から取り出してリーダライタ部へ搬送され投入現金分の有価価値を、発行した非会員カードＩＤに基づいてカード管理装置に記憶する。そして遊技の結果有価価値（度数）がなくなったことを、カードリーダライタＩＦを介して制御部１０３が検知すれば、待機モードに設定する。非会員カードに有価価値が残った状態、または会員カードがリーダライタ部に存在することをリーダライタＩＦを介して制御部１０３が検知する場合、カード返却ボタン９９が押されたことをボタンＩＦを介して制御部１０３が検知すれば、これら非会員カードと会員カードをカードリーダライタから外部に排出し、待機モードに移行する（ステップＳ２００）。
【００８８】
また制御部１０３は、ステップＳ２００のモード設定において、払出モード中に、計数ボタン８が押されたことをボタンＩＦを介して制御部１０３が検知すれば、計数モードに移行し、計数機構Ｓ、７０からセンサＩＦを介して制御部１０３が所定時間（１５秒）検知しない場合には、計数モードから再び払出モードに移行する。なお、既述の「非自動補充モード（６６、１０４、１０５がない）」でありかつ補充モード中、または排出モード中は計数ボタン８がおされても計数モードへは移行しない。既述の「自動補充モード（６６、１０４、１０５がある）」であれば勝手に補充されて排出されるため払出モードから計数モードへの移行は行ってもよい（ステップＳ２００）。またいかなるときにもメダルタンク６２に第１の所定数（または他の所定数）を超える多量のメダルが存在するときには、計数モードへは移行しない。
【００８９】
また制御部１０３は、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、補充モードとする旨の指示を受けた場合、補充モードに移行する。また既述の「非自動補充モード（６６、１０４、１０５がない）」でありかつ管理装置１００がない場合、制御部１０３は、メダルタンク６２に内蔵されるメダル数が第２の所定数以下となったことをセンサＩＦを介して検知した場合、補充モードに移行する。
【００９０】
補充モードから通常の払出モードへの移行は、制御部１０３が、センサＩＦを介して入力したメダルタンク６２に内蔵されるメダル数が第１の所定数と後述する第２の所定数の中間の第３の所定数となったことをピックアップした際に、補充完了を表示ＩＦを介して液晶表示部５に表示し、その了解がリモコンより受信された場合に行われる。なお補充モードにおいては、計数モード、排出モードへの移行は行われない。また既述の「自動補充モード（６６、１０４、１０５がある）」であれば勝手に補充されて排出されるため補充モードへの移行は行われない（ステップＳ２００）。またいかなるときにもメダルタンク６２に第１の所定数（または他の所定数）を超える多量のメダルが存在するときには、補充モードへは移行しない。
【００９１】
また制御部１０３は、ステップＳ２００のモード設定において、既述の「非自動補充モード（６６、１０４、１０５がない）」でありかつ管理装置１００を備える場合、管理装置１００から通信ＩＦを介して、島コントローラ１０２に中継されて、排出モードとする旨の指示を受けた場合、排出モードに移行する。
【００９２】
また既述の「非自動補充モード（６６、１０４、１０５がない）」でありかつ管理装置１００がない場合、制御部１０３は、メダルタンク６２に内蔵されるメダル数が第２の所定数より大きい第１の所定数以上となったことをセンサＩＦを介して検知した場合、排出モードに移行する。排出モードから通常の払出モードへの移行は、メダルタンク６２に内蔵されるメダル数が第１の所定数と後述する第２の所定数の中間の第３の所定数となって、排出完了を液晶表示部５に表示し、その了解がリモコンより受信された場合に行われる。なお排出モードにおいては、計数モード、補充モードへの移行は行われない。また既述の「自動補充モード（６６、１０４、１０５がある）」であれば勝手に補充されて排出されるため排出モードへの移行は行われない（ステップＳ２００）。
【００９３】
次に制御部１０３はステップＳ２０１において、ステップＳ２００において設定したモードが何かを判定する。待機モードであればリターンしてスタートに戻る。計数モードであればステップＳ２０1の計数処理を実行し、払出モードであればステップＳ２０３の払出処理を実行し、補充モードであればステップＳ２０４の補充処理を実行し、排出モードであればステップＳ２０５の排出処理を実行する（ステップＳ２０１）。
【００９４】
制御部１０３は、ステップＳ２０２において計数処理を行う。計数処理中には、貸出ボタン９、再プレーボタン７が押されても何もしない。計数処理では、計数機構７０、近接Ｓのメダル１枚宛ての検知信号を積算して記憶する（ステップＳ２０２）。なお制御部１０３は、計数処理中にメダルタンク６２に内蔵するメダル数が所定の多量の値（第４）を超えたと判定した場合には、直にメダル計数処理を停止（計数機構７０の停止、揚送機構６０、７４の停止、７７シャッタの閉塞、また揚送機構６０、７４のメダル受入口に設けたシャッタの閉塞）する。
【００９５】
制御部１０３は、ステップＳ２０３において払出処理を行う。払出処理中には、計数ボタンが押されても計数しないし、他のモードへの移行による処理は行わない。払出処理では、制御部１０３は、ボタンＩＦを介して再プレーボタン７が押されたことを検知した場合、既述の持ちメダル数を消費して、優先して払い出し、持ちメダル数がなくなると既述の貯メダル数を消費して払い出すよう、モータＩＦを介して払出用モータ６５を駆動して前記消費分のメダル数を払い出す。また制御部１０３は、ボタンＩＦを介して貸出ボタン９が押されたことを検知した場合、有価価値（度数）をカード管理装置からカードＩＤに基づいて読み出し、所定のメダル数（５０メダル１０００円分）の度数を引き落とすとともに、モータＩＦを介して払出用モータ６５を駆動して前記引き落とし分のメダル数を払い出す（ステップＳ２０３）。
【００９６】
制御部１０３は、ステップＳ２０４において補充処理を行う。補充処理中には、計数及び払出をしないし、他のモードへの移行による処理は行わない。補充処理では、制御部１０３は、計数機構７０、近接センサＳでカウントしながら受入口１７からのメダルを補充用として受け入れるようにしてもよいし、補充扉１０を開いて補充してもよい。なお補充用メダルの受け入れのため、補充用メダルを計数しないか、または計数してもその計数結果を景品交換可能な獲得遊技媒体数として処理しないように計数値と補充数とを分けて記憶する。勿論、上記した如く「自動補充モード（６６、１０４、１０５がある）」であれば勝手に補充されるので、制御部１０３は何もしない（ステップＳ２０４）。なお制御部１０３は、補充処理中にメダルタンク６２に内蔵するメダル数が所定の多量の値（第４）を超えたと判定した場合には、直にメダルの補充処理を停止（計数機構７０の停止、揚送機構６０、７４の停止、７７シャッタの閉塞、シャッタ８８の閉塞、また揚送機構６０、７４のメダル受入口に設けたシャッタの閉塞）する。
【００９７】
制御部１０３は、ステップＳ２０５において排出処理を行う。排出処理中には、計数及び払出をしないし、他のモードへの移行による処理は行わない。排出処理では、制御部１０３は、液晶表示部５に表示ＩＦを介して「余剰メダルの排出」の警告を表示し、かつ管理装置１００へ通信ＩＦを介して、島コントローラ１０２に中継させて、「排出モード」である旨の情報と台番号を送信する。
【００９８】
管理装置１００では、「排出モード」である旨の情報を受けるとインカムで音声にて、受信した台番号に対応して「○○番台余剰メダル排出します」と案内する。この案内を受けた店員が、払出ノズル１３をスロットマシン２の下皿４３に臨んだ位置から外れた位置として、メダル箱を構えてリモコンから「排出受け準備完了」の旨の情報を送信する。するとメダル払出機１の制御部１０３は、店員所持のリモコンから「排出受け準備完了」の旨の情報を受けると、モータＩＦを介して払出用モータ６５を駆動して、余剰メダルを外部に払い出す。勿論、上記した如く「自動補充モード（６６、１０４、１０５がある）」であれば勝手に排出されるので、制御部１０３は何もしない（ステップＳ２０５）。
【００９９】
なお、払出ノズル１３をスロットマシン２の下皿４３に臨んだ位置にあることを、制御部１０３がセンサＩＦを介して入力した位置情報により検知した場合、制御部１０３は、液晶表示部５に表示ＩＦを介して「余剰メダルの排出」の警告を表示し、かつ管理装置１００へ通信ＩＦを介して、島コントローラ１０２に中継させて、「排出モードですがノズルの位置がお客様のスロットマシン側となっているので、ノズルの位置を変更してください」である旨の情報と台番号を送信する。管理装置１００では、「排出モード」である旨の情報を受けるとインカムで音声にて、受信した台番号に対応して「○○番台排出モードですがノズルの位置がお客様のスロットマシン側となっているので、ノズルの位置を変更してください」と案内するとよい。
【０１００】
次に制御部１０３は、ステップＳ２０６に移行し、既述のステップＳ１００で管理装置１００が受信する情報を、通信ＩＦを介して、島コントローラ１０２に中継させて、送信する（ステップＳ２０６）。
【０１０１】
次に制御部１０３は、ステップＳ２０７に移行し、既述のステップＳ１０１で管理装置１００が受信する情報を、通信ＩＦを介して、島コントローラ１０２に中継させて、送信する（ステップＳ２０７）。
【０１０２】
以上説明してきたように、上記いくつかの本実施の形態によって、本発明のメダル払出機及びメダル払出機のメダル払出方法を実現することができる。そして、本実施の形態によれば、計数機構７０、近接センサＳによって計数されたメダルを受け入れて貯蔵するメダル貯蔵部６２と、計数機構で計数したメダルをメダル貯蔵部６２へ導くメダル導入機構（６０、７０と７１、７４と７６と７７）と、メダル貯蔵部６２に貯蔵されるメダルを前記筺体３前面側に払い出すメダル払出部（払出用ノーズ６３、１３、７８）と、を備えるので、計数用メダル及び補充用メダルを、同一のメダル受入部から同一のメダル導入機構を介して同一のメダル貯蔵部に、再度払い出し可能に最大限の貯蔵容量を確保して貯蔵できるようにするとともに、メダル払出機筺体のスペース最小化を図り、使い勝手の良いメダル払出機を提供できるという効果を奏する。
【図面の簡単な説明】
【０１０３】
【図１】第１の形態のメダル払出機を遊技機に隣接させて配置した斜視図である。
【図２】スロットマシン２及び第１の形態のメダル払出機１の背面側からみた斜視図である。
【図３】スロットマシン２及び第１の形態のメダル払出機１を底面側から見た図である。
【図４】スロットマシン２及び第１の形態のメダル払出機１の前面下部側を拡大した斜視図である。
【図５】灰皿４５の斜視図である。
【図６】図４における、断面Ｑ、断面ＳにおけるＡＡ’方向から見た図である。
【図７】第１の形態のメダル払出機１を側面方向から見た内部断面説明図である。
【図８】第２の形態のメダル払出機１の前面側斜視図である。
【図９】第３の形態のメダル払出機１の前面側斜視図である。
【図１０】第２の形態のメダル払出機１を側面方向から見た内部断面説明図である。
【図１１】スロットマシン２及び第４の形態のメダル払出機１の背面側からみた斜視図である。
【図１２】第４の形態のメダル払出機１における揚送機構７４の拡大した斜視図である。
【図１３】図１２における断面ＴのＷＷ’視である。
【図１４】メダル払出機１を採用した管理システム図である。
【図１５】管理装置１００についてのフローチャートである。
【図１６】メダル払出機１についてのフローチャートである。
【符号の説明】
【０１０４】
１・・・メダル払出機、２・・・スロットマシン、３・・・筺体、４・・・紙幣投入口、５・・・液晶表示部、６・・・カード受入発行口、７・・・再プレーボタン、８・・・計数ボタン、９・・・貸出ボタン、１０・・・補充扉、１３・・・ノズル、１４・・・長さ著精通路、１５・・・湾曲路９９、１７・・・受入口、１８・・・払出口、２６・・・滑り台、２７・・・外部滑り台、３４・・・満杯搬送路、３５・・・搬送駆動ローラ、３６・・・排出口、３８・・・揚送ベルト、３９・・・揚送機カバー、４０・・・揚送機、４１・・・底部滑り台、４２・・・スロットマシン底部開口部、４９・・・嵌合突起、５２・・・シャッタ、５３・・・フック、５４・・・溝、５５・・・谷底、５６・・・曲面、５８・・・補充樋、５９・・・排出樋、６０・・・揚送機構、６１・・・揚送機構カバー、６２・・・メダルタンク、６６・・・島内メダル供給搬送路、６７・・・受入口、７０・・・計数機構、７３・・・背面導入樋、８８、８９・・・シャッタ、底部排出樋９０、下部排出口９１、９９・・・カード返却ボタン、近接センサ・・・Ｓ、１００・・・管理装置、１０１・・・ネットワーク、１０２・・・島コントローラ、１０４・・・メダル供給装置、１０５・・・搬送通路、